(57)【要約】【課題】設備投資を抑えてデータ放送の可能な，データ放送提供システムを提供する。【解決手段】センターサーバと放送局とを相互に接続するネットワークとから成るデータ放送提供システムにおいて，センターサーバは，データ放送コンテンツデータを編成する編成装置と，データ放送コンテンツデータを制作する制作装置と，データ放送コンテンツデータを登録又はデータ放送コンテンツデータを制作する材料となる素材データを少なくとも保有する素材共有装置と，編成されたデータ放送コンテンツデータの編成情報データに基づき，データ放送コンテンツデータを，ネットワークを介して放送局に送出する送出装置とを備え，放送局は，少なくとも前記ネットワークを介して編成装置，制作装置，または素材共有装置と相互にアクセス可能な利用者端末装置とを備えている。【選択図】　図１
2004120414.tif 000002
【特許請求の範囲】
【請求項１】
少なくともデータ放送コンテンツデータを管理保持するセンターサーバと，少なくとも前記データ放送コンテンツデータもしくは画音データのうちいずれか一方または双方とからなる番組データを放送する一又は二以上の番組提供装置と，前記センターサーバと前記番組提供装置とを相互に接続するネットワークとから成るデータ放送提供システムにおいて：
前記センターサーバは，前記データ放送コンテンツデータを編成する編成装置と，
前記データ放送コンテンツデータを制作する制作装置と，
前記データ放送コンテンツデータを登録又は前記データ放送コンテンツデータを制作する材料となる素材データを少なくとも保有する素材共有装置と，
編成された前記データ放送コンテンツデータの編成情報データに基づき，前記データ放送コンテンツデータを，前記ネットワークを介して前記番組提供装置に送出する送出装置とを備え，
前記番組提供装置は，少なくとも前記ネットワークを介して前記編成装置，前記制作装置，または前記素材共有装置と相互にアクセス可能な利用者端末装置とを備えることを特徴とする，データ放送提供システム。
【請求項２】
ネットワークを介して少なくともデータ放送コンテンツデータもしくは画音データのうちいずれか一方または双方とからなる番組データを受信し，少なくとも前記データ放送コンテンツデータを管理保持するセンターサーバであって：
前記センターサーバは，前記データ放送コンテンツデータを編成する編成装置と，
前記データ放送コンテンツデータを制作する制作装置と，
前記データ放送コンテンツデータを登録又は前記データ放送コンテンツデータを制作する材料となる素材データを少なくとも保有する素材共有装置と，
編成された前記データ放送コンテンツデータの編成情報データに基づき，前記データ放送コンテンツデータを送出する送出装置とを備えることを特徴とする，センターサーバ。
【請求項３】
前記センターサーバは，前記送出装置の設置を変更可能であることを特徴とする，請求項２に記載のセンターサーバ。
【請求項４】
前記センターサーバは，前記送出装置が共有可能な予備送出装置を，設置可能であることを特徴とする，請求項２又は３項に記載のセンターサーバ。
【請求項５】
前記制作装置は，前記素材データを予め登録されたデータ形式に変換することを特徴とする，請求項２に記載のセンターサーバ。
【請求項６】
前記送出装置は，前記データ放送コンテンツデータをパケット化することを特徴とする，請求項２に記載のセンターサーバ。
【請求項７】
前記送出装置は，前記画音データと前記データ放送コンテンツデータとを連動させるための編成制御データをさらにパケット化することを特徴とする，請求項６項に記載のセンターサーバ。
【請求項８】
前記編成制御データは，前記ネットワークを介して前記センターサーバに伝送されることを特徴とする，請求項２に記載のセンターサーバ。
【請求項９】
前記送出装置は，前記データ放送コンテンツデータをデータカルーセル送出方式により送出するためのカルーセル構造にセクション化することを特徴とする，請求項２に記載のセンターサーバ。
【請求項１０】
前記送出装置は，非同期通信方式により前記ネットワークを介して，トランスポートストリーム化した前記データ放送コンテンツデータを伝送することを特徴とする，請求項２に記載のセンターサーバ。
【請求項１１】
前記センターサーバは，仮想専用回線である前記ネットワークを介して前記データ放送コンテンツデータを編成，制作，または登録する特定処理代行サーバであることを特徴とする，請求項２に記載のセンターサーバ。
【請求項１２】
前記センターサーバは，少なくとも株価情報データ又は気象情報データ等の自動更新データが含まれる前記データ放送コンテンツデータを，前記仮想専用回線であるネットワークを介して，受信することを特徴とする，請求項２に記載のセンターサーバ。
【請求項１３】
前記センターサーバは，前記ネットワークを介して依頼された処理を実行することより，前記実行された処理に対して課金する課金処理装置をさらに備えることを特徴とする，請求項２に記載のセンターサーバ。
【請求項１４】
コンピュータをして，少なくともデータ放送コンテンツデータもしくは画音データのうちいずれか一方または双方とからなる番組データを受信し，少なくとも前記データ放送コンテンツデータを管理保持するセンターサーバであって：
前記センターサーバは，前記データ放送コンテンツデータを編成して，
前記データ放送コンテンツデータを制作して，
前記データ放送コンテンツデータを登録又は前記データ放送コンテンツデータを制作する材料となる素材データを少なくとも保有して，
編成された前記データ放送コンテンツデータの編成情報データに基づき，前記データ放送コンテンツデータを，前記ネットワークを介して，送出するセンターサーバとして機能させることを特徴とする，コンピュータプログラム。
【請求項１５】
少なくとも前記データ放送コンテンツデータもしくは画音データのうちいずれか一方または双方とからなる番組データを受信し，少なくともデータ放送コンテンツデータを管理保持するセンターサーバとネットワークを介して相互に接続される利用者端末装置であって：
前記利用者端末装置は，少なくとも前記ネットワークを介して前記データ放送コンテンツデータを編成する編成装置と，前記データ放送コンテンツデータを制作する制作装置と，前記データ放送コンテンツデータを登録又は前記データ放送コンテンツデータを制作する材料となる素材データを少なくとも保有する素材共有装置と相互にアクセス可能であることを特徴とする，利用者端末装置。
【請求項１６】
前記利用者端末装置は，仮想専用回線である前記ネットワークを介して前記データ放送コンテンツデータを編成，制作，または登録するための特定処理代行サーバである前記センターサーバにアクセスすることを特徴とする，請求項１５に記載の利用者端末装置。
【請求項１７】
コンピュータをして，少なくとも前記データ放送コンテンツデータもしくは画音データのうちいずれか一方または双方とからなる番組データを受信し，少なくともデータ放送コンテンツデータを管理保持するセンターサーバとネットワークを介して相互に接続される利用者端末装置であって：
前記利用者端末装置は，少なくとも前記センターサーバに対して前記ネットワークを介して前記データ放送コンテンツデータを編成指示して，
前記データ放送コンテンツデータを制作指示して，
前記データ放送コンテンツデータを登録又は前記データ放送コンテンツデータを制作する材料となる素材データを少なくとも保有指示する，前記センターサーバと相互にアクセス可能な利用者端末装置として機能することを特徴とする，コンピュータプログラム。
【請求項１８】
ネットワークを介して少なくともデータ放送コンテンツデータもしくは画音データのうちいずれか一方または双方とからなる番組データを受信し，前記データ放送コンテンツデータを管理保持するセンターサーバのデータ放送提供方法であって：
前記センターサーバは，
前記データ放送コンテンツデータを編成し；
前記データ放送コンテンツデータを制作し；
前記データ放送コンテンツデータを登録又は前記データ放送コンテンツデータを制作する材料となる素材データを少なくとも保有し；
編成された前記データ放送コンテンツデータの編成情報データに基づき，前記データ放送コンテンツデータを送出することを特徴とする，センターサーバのデータ放送提供方法。
【請求項１９】
前記センターサーバは，前記データ方法コンテンツデータの送出が変更可能であることを特徴とする，請求項１８に記載のセンターサーバのデータ放送提供方法。
【請求項２０】
前記センターサーバは，必要に応じて前記データ放送コンテンツデータの送出と共有可能な前記データ放送コンテンツデータの予備送出をすることを特徴とする，請求項１８又は１９項に記載のセンターサーバのデータ放送提供方法。
【請求項２１】
前記センターサーバは，前記素材データを予め登録されたデータ形式に変換することを特徴とする，請求項１８に記載のセンターサーバのデータ放送提供方法。
【請求項２２】
前記センターサーバは，前記データ放送コンテンツデータをパケット化することを特徴とする，請求項１８に記載のセンターサーバのデータ放送提供方法。
【請求項２３】
前記センターサーバは，前記画音データと前記データ放送コンテンツデータとを連動させるための編成制御データをさらにパケット化することを特徴とする，請求項２２項に記載のセンターサーバのデータ放送提供方法。
【請求項２４】
前記編成制御データは，前記ネットワークを介して前記センターサーバに伝送されることを特徴とする，請求項１８に記載のセンターサーバのデータ放送提供方法。
【請求項２５】
前記センターサーバは，前記データ放送コンテンツデータをデータカルーセル送出方式により送出するためのカルーセル構造にセクション化することを特徴とする，請求項１８に記載のセンターサーバのデータ放送提供方法。
【請求項２６】
前記センターサーバは，非同期通信方式により前記ネットワークを介して，トランスポートストリーム化した前記データ放送コンテンツデータを伝送することを特徴とする，請求項１８に記載のセンターサーバのデータ放送提供方法。
【請求項２７】
前記センターサーバは，仮想専用回線である前記ネットワークを介して前記データ放送コンテンツデータを編成，制作，または登録する特定処理代行することを特徴とする，請求項１８に記載のセンターサーバのデータ放送提供方法。
【請求項２８】
前記センターサーバは，少なくとも株価情報データ又は気象情報データ等の自動更新データが含まれる前記データ放送コンテンツデータを，前記仮想専用回線であるネットワークを介して，受信することを特徴とする，請求項１８に記載のセンターサーバのデータ放送提供方法。
【請求項２９】
前記センターサーバは，ネットワークを介して依頼された処理を実行することにより，前記実行された処理に対して課金することを特徴とする，請求項１８に記載のセンターサーバのデータ放送提供方法。
【発明の詳細な説明】
【０００１】
【発明の属する技術分野】
本発明は，放送局から依頼された処理を実行することが可能なコンピュータシステムにかかり，特にデータ放送提供システム，センターサーバ，利用者端末装置，コンピュータプログラム，およびセンターサーバのデータ放送提供方法に関する。
【０００２】
【従来の技術】
近年，衛星放送などによるデジタル放送においては，映像，音声などの通常の番組データに，データ放送と呼ばれる文字情報などの付加データが多重されて放送されている。
【０００３】
衛星放送については，静止軌道位置が，それぞれ東経１２４度，１２８度の位置に，１９９６年１０月からＣＳ（Ｃｏｍｍｕｎｉｃａｔｉｏｎｓ　Ｓａｔｅｌｌｉｔｅ）デジタル放送が開始されて，２０００年１２月には，１１０度の位置にＢＳ（Ｂｒｏａｄｃａｓｔｉｎｇ　Ｓａｔｅｌｌｉｔｅ）デジタル放送が開始された。
【０００４】
さらに，２００２年３月から，ＢＳと同じ軌道上の東経１１０度の位置からＣＳデジタル放送が始まり，ＢＳおよびＣＳ衛星放送による多チャンネルデジタル放送が始まった。
【０００５】
特にデジタル放送では，多チャンネルサービスだけでなく，データ放送と呼ばれる新しい付加価値サービスが提供されている。ここで，データ放送とは，通常の映像・音声（画音）に加えて，動画，静止画，音声，もしくはテキストのうちいずれか一つ又は任意の組合わせからなるデータ放送コンテンツデータを放送することである。
【０００６】
【発明が解決しようとする課題】
しかしながら，デジタル放送において提供されるデータ放送に対して事業者が新規参入する場合，データ放送を放送するために，データ放送の番組の編成や送出などのデータ放送設備／運用をするための非常に多額な投資が必要となる。
【０００７】
また，アナログ放送である地上波放送は，２００３年より東京，名古屋，大阪地方を皮切りに，順次段階的に全国の地上波放送をデジタル放送化する予定になっており，地上波放送をおこなっている各放送局は，デジタル放送をするための設備投資などを迫られている。
【０００８】
さらに，所定の期間は，視聴者に対してデジタル放送対応のテレビなどデジタル放送受像設備の普及等を考慮して，アナログ放送とデジタル放送とを両方放送するサイマル放送が義務付けられており，これによる放送設備の維持などコストの増大，さらに番組の放送運用効率の低下が発生する問題点があった。
【０００９】
本発明は，上記問題点に鑑みてなされたものであり，本発明の目的は，各放送局が設備投資を抑えてデータ放送の可能な，新規かつ改良されたデータ放送提供システムを提供することである。
【００１０】
【課題を解決するための手段】
上記課題を解決するため，本発明の第１の観点によれば，少なくともデータ放送コンテンツデータを管理保持するセンターサーバと，少なくともデータ放送コンテンツデータもしくは画音データのうちいずれか一方または双方とからなる番組データを放送する一又は二以上の番組提供装置と，センターサーバと番組提供装置とを相互に接続するネットワークとから成るデータ放送提供システムが提供される。このセンターサーバは，データ放送コンテンツデータを編成する編成装置と，データ放送コンテンツデータを制作する制作装置と，データ放送コンテンツデータを登録又はデータ放送コンテンツデータを制作する材料となる素材データを少なくとも保有する素材共有装置と，編成されたデータ放送コンテンツデータの編成情報データに基づき，データ放送コンテンツデータを，ネットワークを介して番組提供装置に送出する送出装置とを備え，番組提供装置は，少なくとも前記ネットワークを介して編成装置，制作装置，または素材共有装置と相互にアクセス可能な利用者端末装置とを備えている。
【００１１】
本発明によれば，センターサーバは，データ放送設備を有しない各番組提供装置に対してネットワークで接続されて，データ放送のためのコンテンツデータ（データ放送コンテンツデータ）を編成，制作，または登録などのデータ放送コンテンツデータに関する各処理を各番組提供装置に代わって行う共用設備である。さらに，番組提供装置は，番組提供装置に設けられる利用者端末装置により，上記センターサーバにアクセスし，上記各処理の指示をセンターサーバにする。かかる構成によれば，番組提供装置は，データ放送設備を有することなく，設備投資を抑えてデータ放送することが可能となり，さらに各番組提供装置におけるデータ放送設備をセンターサーバに集中管理することにより，データ放送の運行コストが削減されて，運行が常に効率的に行われる。なお，データ放送コンテンツデータは，データ放送のためのコンテンツデータであり，画音データは，データ放送以外の一般的に通常放送される番組のコンテンツデータであり，少なくともデータ放送コンテンツデータ及び画音データは，動画，静止画，音声，もしくはテキストのうちいずれか一つまたは任意の組合わせから構成される。番組データは，番組提供装置から視聴者の受信端末装置に伝送されるデータを示し，少なくとも画音データ，データ放送コンテンツデータ，または番組配列情報データなどが含まれる。なお，利用者端末装置は，番組提供装置の内または外に設置可能である。さらに，番組提供装置は，番組データを提供する総称であり，例えば，地上波放送，ＢＳアナログ放送，ＢＳデジタル放送，ＣＳデジタル放送，ＣＳアナログ放送などの番組を送出する放送設備である。以下，本明細書中では番組提供装置を放送局とする。
【００１２】
さらに，本発明の別の観点によれば，少なくともデータ放送コンテンツデータもしくは画音データのうちいずれか一方または双方とからなる番組データを放送する一又は二以上の放送局とネットワークを介して相互に接続される少なくとも前記データ放送コンテンツデータを管理保持するセンターサーバが提供される。センターサーバは，データ放送コンテンツデータを編成する編成装置と，データ放送コンテンツデータを制作する制作装置と，データ放送コンテンツデータを登録又はデータ放送コンテンツデータを制作する材料となる素材データを少なくとも保有する素材共有装置と，編成されたデータ放送コンテンツデータの編成情報データに基づき，データ放送コンテンツデータを送出する送出装置とを備えている。
【００１３】
本発明によれば，センターサーバは，ネットワークを介して，画音データまたはデータ放送コンテンツデータを受信して，データ放送のためのコンテンツデータ（データ放送コンテンツデータ）を編成，制作，または登録などのデータ放送コンテンツデータに関する各処理を行う共用設備である。かかる構成によれば，データ放送設備を備えることなく，設備投資を抑えてデータ放送コンテンツデータを編成，制作，または登録処理などが可能となり，さらにセンターサーバにより，集中管理されることで，データ放送の運行コストが削減されて，運行が常に効率的に行われる。
【００１４】
センターサーバは，送出装置の設置を変更可能であるように構成してもよい。かかる構成により，適当な送出装置の設置をすることが可能であり，センターサーバのスケーラビリティ（ｓｃａｌａｂｉｌｉｔｙ）が高まる。
【００１５】
センターサーバは，送出装置が共有可能な予備送出装置を，設置可能であるこように構成してもよい。かかる構成により，送出装置が障害時に送出不能となった場合，当該送出装置の代替として送出処理を行うことが可能となり，常に送出処理を行うことができる。
【００１６】
制作装置は，素材データを予め登録されたデータ形式に変換することができる。かかる構成により，データ放送コンテンツデータ制作終了後，データ放送コンテンツデータを登録する際に，登録基準と相違した場合，改めてデータ放送コンテンツデータを作り直す必要がなくなり，登録処理を常に効率化できる。なお，データ形式は，例えば，画面のサイズなどの番組データとして送出するための規格である。
【００１７】
送出装置は，データ放送コンテンツデータをパケット化することができる。かかる構成により，データ放送コンテンツデータの伝送に対して負荷を低減でき，データの一部がエラー等で受信不良となった場合，常に再送することが可能となる。なお，パケット化は，例えば，ＭＰＥＧ２−ＴＳパケット形式のパケット化であるが，かかる例に限定されず他の形式によるパケット化でもよい。
【００１８】
送出装置は，画音データとデータ放送コンテンツデータとを連動させるための編成制御データをさらにパケット化することができる。かかる構成により，画音データとデータ放送コンテンツデータとに付随して編成制御データをパケット化して送出することが可能となり，画音データとデータ放送コンテンツデータとを番組連動する多種多様な双方向性を有するデータ放送を実施できる。なお，編成制御データは，例えば，ＡＰＣ（自動番組制御）信号（ＡＰＣデータ信号）またはＡＰＣ信号から変換されたイベントメッセージ信号（イベントメッセージデータ信号）などの制御データ（制御信号）を示す。
【００１９】
編成制御データは，ネットワークを介してセンターサーバに伝送されるようにすることができる。かかる構成により，センターサーバは，生成される編成制御データを，ネットワークを介して受信することが可能となり，番組連動するデータ放送を実施することが可能となる。なお，編成制御データは，少なくとも非同期通信方式などの高速通信により，伝送可能である。
【００２０】
送出装置は，データ放送コンテンツデータをデータカルーセル送出方式により送出するためカルーセル構造（カルーセル形式）にセクション化することができる。かかる構成により，データ放送コンテンツデータを繰返し配信することが可能となり，データ放送コンテンツデータを配信（ダウンロード）途中において，一部受信がエラーとなった場合でも，上記データ放送コンテンツデータの該当個所におけるデータが繰返し配信される。したがって，データ放送コンテンツデータの最初から再配信する必要がなくなり，常に配信効率を向上できる
【００２１】
送出装置は，非同期通信方式によりネットワークを介して，トランスポートストリーム化したデータ放送コンテンツデータを伝送することができる。かかる構成により，データ放送コンテンツデータのデータ伝送について信頼性の高い，速度保証するネットワークを介して，データ伝送することができる。したがって，データ放送設備を有することなく，設備投資を軽減して，データ放送を放送することができる。なお，非同期通信方式は，例えば，ＡＴＭなどの通信方式であるが，かかる例に限定されず，他の方式でもよい。
【００２２】
センターサーバは，仮想専用回線であるネットワークを介してデータ放送コンテンツデータを編成，制作，または登録する特定処理代行サーバであるようにすることができる。かかる構成により，専用回線ではないため，経費を非常に軽減することができ，さらに利用者端末装置側で処理をする必要がないため，利用者端末装置の保守管理作業が常に軽減化される。なお，特定処理代行サーバは，クライアントである利用者端末装置からのアクセスによって依頼された処理を行い，その結果を利用者端末装置に返す機能を有するサーバの総称である。例えば，ＡＳＰ（アプリケーション・サービス・プロバイダ）サーバなどが挙げられる。また，仮想専用回線とは，専用回線ではない回線において，仮想的に専用回線とほぼ同等の機能を有する，回線の総称をいう。例えば，ＩＰ−ＶＰＮなどが挙げられる。
【００２３】
センターサーバは，少なくとも株価情報データ又は気象情報データ等の自動更新データが含まれるデータ放送コンテンツデータを，仮想専用回線であるネットワークを介して受信するようにすることができる。かかる構成により，株価，または気象などに関するリアルタイムに更新される自動更新データが含まれるデータ放送コンテンツデータを，センターサーバが一括して受信して，伝送することが可能となる。
【００２４】
センターサーバは，依頼された処理に応じて，課金する課金処理装置をさらに備えるようにすることができる。かかる構成により，利用者端末装置からセンターサーバに対するアクセスによって依頼指示された処理を実行した内容に従い，課金することができる。したがって，多種多様な料金設定を可能として，さらに少なくともセンターサーバに接続する際の初期投資およびセンターサーバの依頼処理に対して発生する経費とを支払うことのみでデータ放送することが可能となる。
【００２５】
さらに，本発明の別の観点によれば，コンピュータをして上記センターサーバとして機能させるコンピュータプログラムが提供される。
【００２６】
さらに，上記課題を解決するための本発明の別の観点によれば，少なくともデータ放送コンテンツデータもしくは画音データのうちいずれか一方または双方とからなる番組データを放送する一又は二以上の放送局とネットワークを介して相互に接続される少なくとも前記データ放送コンテンツデータを管理保持するセンターサーバが提供される。このセンターサーバは，データ放送コンテンツデータを編成する編成装置と，データ放送コンテンツデータを制作する制作装置と，データ放送コンテンツデータを登録又はデータ放送コンテンツデータを制作する材料となる素材データを少なくとも保有する素材共有装置と，編成されたデータ放送コンテンツデータの編成情報データに基づき，データ放送コンテンツデータを，ネットワークを介して番組提供装置（放送局）に送出する送出装置とを備えている。
【００２７】
本発明によれば，センターサーバは，データ放送設備を有しない各番組提供装置（放送局）に対してネットワークで接続されて，データ放送のためのコンテンツデータ（データ放送コンテンツデータ）を編成，制作，または登録などのデータ放送コンテンツデータに関する各処理を各番組提供装置（放送局）に代わって行う共用設備である。さらに，番組提供装置（放送局）は，番組提供装置（放送局）に設けられる利用者端末装置により，上記センターサーバにアクセスし，上記各処理の指示をセンターサーバにする。かかる構成によれば，番組提供装置（放送局）は，データ放送設備を有することなく，設備投資を抑えてデータ放送することが可能となり，さらに各番組提供装置（放送局）におけるデータ放送設備をセンターサーバに集中管理することにより，データ放送の運行コストが削減されて，運行が常に効率的に行われる。なお，データ放送コンテンツデータは，データ放送のためのコンテンツデータであり，画音データは，データ放送以外の一般的に通常放送される番組のコンテンツデータであり，少なくともデータ放送コンテンツデータ及び画音データは，動画，静止画，音声，もしくはテキストのうちいずれか一つまたは任意の組合わせから構成される。番組データは，番組提供装置（放送局）から視聴者の受信端末装置に伝送されるデータを示し，少なくとも画音データ，データ放送コンテンツデータ，または番組配列情報データなどが含まれる。
【００２８】
センターサーバは，少なくともネットワークに接続される放送局に応じて，送出装置の設置を変更可能である。かかる構成によれば，放送局内に備えられる番組データを送出する送出装置は，センターサーバにネットワークを介して接続される放送局ごとに，設けられるので，新規に放送局がセンターサーバに接続する場合，または放送局がセンターサーバへの接続を解約する場合には，送出装置を増設，または除去することが可能であり，さらに，ある放送局に該当の送出装置が障害時には，当該放送局以外の送出処理は可能であることから，送出処理を常に最適化できる。
【００２９】
センターサーバは，送出装置が共有可能な予備送出装置を，設置可能である。かかる構成によれば，送出装置が障害時に送出処理不能となった場合，当該送出装置の代替として送出処理を行うことが可能となり，緊急時であっても常に送出処理をすることができる。なお，予備送出装置は，センターサーバ内はもちろんのこと，センターサーバの外に配置することも可能である。
【００３０】
制作装置は，素材データを放送局ごとに予め登録されたデータ形式に変換することができる。かかる構成により，データ放送コンテンツデータ制作終了後，データ放送コンテンツデータを登録する際に，放送局に対する搬入基準と相違した場合，改めてデータ放送コンテンツデータを作り直す必要がなくなり，登録処理を常に効率化できる。なお，データ形式は，例えば，画面のサイズなどの番組データとして放送局から送出するための規格であり，各放送局により異なる。
【００３１】
送出装置は，データ放送コンテンツデータをパケット化することができる。かかる構成により，データ放送コンテンツデータの伝送に対して負荷を低減でき，データの一部がエラー等で受信不良となった場合，常に再送することが可能となる。なお，パケット化は，例えば，ＭＰＥＧ２−ＴＳパケット形式のパケット化であるが，かかる例に限定されず他の形式によるパケット化でもよい。
【００３２】
送出装置は，画音データとデータ放送コンテンツデータとを連動させるための編成制御データをさらにパケット化することができる。かかる構成により，画音データとデータ放送コンテンツデータとに付随して編成制御データをパケット化して送出することが可能となり，画音データとデータ放送コンテンツデータとを番組連動する多種多様な双方向性を有するデータ放送を実施できる。なお，編成制御データは，例えば，ＡＰＣ（自動番組制御）信号（ＡＰＣデータ信号）またはＡＰＣ信号から変換されたイベントメッセージ信号（イベントメッセージデータ信号）などの制御データ（制御信号）を示す。
【００３３】
編成制御データは，放送局から，ネットワークを介してセンターサーバに伝送されるようにすることができる。かかる構成により，放送局内で生成される編成制御データを，ネットワークを介してセンターサーバに伝送することが可能となり，放送局内にデータ放送設備を有さなくても番組連動するデータ放送を実施することが可能となる。なお，編成制御データは，少なくとも非同期通信方式などの高速通信により，放送局とセンターサーバとの間を伝送可能である。
【００３４】
送出装置は，データ放送コンテンツデータをデータカルーセル送出方式により送出するためカルーセル構造（カルーセル形式）にセクション化することができる。かかる構成により，データ放送コンテンツデータを繰返し配信することが可能となり，データ放送コンテンツデータを配信（ダウンロード）途中において，一部受信がエラーとなった場合でも，上記データ放送コンテンツデータの該当個所におけるデータが繰返し配信される。したがって，データ放送コンテンツデータの最初から再配信する必要がなくなり，常に配信効率を向上できる
【００３５】
送出装置は，非同期通信方式によりネットワークを介して放送局に，トランスポートストリーム化したデータ放送コンテンツデータを伝送することができる。かかる構成により，データ放送コンテンツデータのデータ伝送について信頼性の高い，速度保証するネットワークを介して，センターサーバと放送局との間をデータ伝送することができる。したがって，放送局内にデータ放送設備を有することなく，設備投資を軽減して，データ放送を放送することができる。なお，非同期通信方式は，例えば，ＡＴＭなどの通信方式であるが，かかる例に限定されず，他の方式でもよい。
【００３６】
センターサーバは，仮想専用回線であるネットワークを介してデータ放送コンテンツデータを編成，制作，または登録する特定処理代行サーバであるようにすることができる。かかる構成により，専用回線ではないため，経費を非常に軽減することができ，さらに利用者端末装置側で処理をする必要がないため，利用者端末装置の保守管理作業が常に軽減化される。なお，特定処理代行サーバは，クライアントである利用者端末装置からのアクセスによって依頼された処理を行い，その結果を利用者端末装置に返す機能を有するサーバの総称である。例えば，ＡＳＰ（アプリケーション・サービス・プロバイダ）サーバなどが挙げられる。また，仮想専用回線とは，専用回線ではない回線において，仮想的に専用回線とほぼ同等の機能を有する，回線の総称をいう。例えば，ＩＰ−ＶＰＮなどが挙げられる。
【００３７】
センターサーバは，少なくとも株価情報データ又は気象情報データ等の自動更新データが含まれるデータ放送コンテンツデータを，仮想専用回線であるネットワークを介して受信するようにすることができる。かかる構成により，株価，または気象などに関するリアルタイムに更新されるデータ放送コンテンツデータを，センターサーバが一括して受信して，各放送局に伝送することが可能となる。したがって，放送局ごとに契約のもと，当該データ放送コンテンツデータを受信する必要がなく，経費を軽減して，常にデータ放送コンテンツデータ伝送を効率化できる。
【００３８】
センターサーバは，放送局により依頼された処理に応じて，放送局に対して課金する課金処理装置をさらに備えるようにすることができる。かかる構成により，利用者端末装置からセンターサーバに対するアクセスによって依頼指示された処理を実行した内容に従い，各放送局に課金することができる。したがって，多種多様な料金設定を可能として，さらに放送局は，少なくともセンターサーバに接続する際の初期投資およびセンターサーバの依頼処理に対して発生する経費とを支払うことのみでデータ放送することが可能となり，データ放送事業に参加しやすく，データ放送事業が常に活性化される。
【００３９】
さらに，本発明の別の観点によれば，コンピュータをして上記センターサーバとして機能させるコンピュータプログラムおよびそのコンピュータプログラムが記憶されたコンピュータ読取り可能な記憶媒体が提供される。
【００４０】
さらに，本発明の別の観点によれば，少なくともデータ放送コンテンツデータもしくは画音データのうちいずれか一方または双方とからなる番組データを受信し，少なくともデータ放送コンテンツデータを管理保持するセンターサーバとネットワークを介して相互に接続される利用者端末装置が提供される。この利用者端末装置は，少なくともネットワークを介してデータ放送コンテンツデータを編成する編成装置，データ放送コンテンツデータを制作する制作装置，またはデータ放送コンテンツデータを登録又はデータ放送コンテンツデータを制作する材料となる素材データを少なくとも保有する素材共有装置と相互にアクセス可能であるようにすることができる。
【００４１】
利用者端末装置は，センターサーバにアクセスしてデータ放送コンテンツデータにかかる編成，制作，または管理保持などの処理を依頼するための端末装置である。かかる構成により，例えば，放送局内にデータ放送設備を設けず，放送局に依存することがないなど，外部にセンターサーバを設置することにより，各利用者端末装置から処理を受付けて，センターサーバにて一括して処理を実行することが可能となり，データ放送にかかる処理効率を常に向上させることができる。
【００４２】
利用者端末装置は，仮想専用回線であるネットワークを介してデータ放送コンテンツデータを編成，制作，または登録するための特定処理代行サーバであるセンターサーバにアクセスすることができる。かかる構成により，利用者端末装置は，特定処理代行サーバが処理を実行することから，利用者端末装置の高度な処理能力を要せず，ハードウェア構成を軽減することが可能となり，利用者端末装置のバージョン管理，メンテナンスなどの保守管理が容易となる。また，専用回線でないことから，運用コストを大幅に軽減することが可能となる。なお，仮想専用回線および特定処理代行サーバについては，上記データ放送提供システムにて採用される仮想専用回線および特定処理代行サーバとほぼ同様の構成である。
【００４３】
さらに，本発明の別の観点によれば，コンピュータをして上記利用者端末装置として機能させるコンピュータプログラムおよびそのコンピュータプログラムが記憶されたコンピュータ読取り可能な記憶媒体が提供される。
【００４４】
さらに，本発明の別の観点によれば，ネットワークを介して少なくともデータ放送コンテンツデータもしくは画音データのうちいずれか一方または双方とからなる番組データを受信し，データ放送コンテンツデータを管理保持するセンターサーバのデータ放送提供方法が提供される。このデータ放送提供方法において，センターサーバは，データ放送コンテンツデータを編成し，データ放送コンテンツデータを制作し，データ放送コンテンツデータを登録又はデータ放送コンテンツデータを制作する材料となる素材データを少なくとも保有し，編成されたデータ放送コンテンツデータの編成情報データに基づき，データ放送コンテンツデータを，ネットワークを介して送出することを特徴としている。
【００４５】
センターサーバは，データ放送コンテンツデータの送出を変更可能であるように構成してもよい。したがって，例えば，新しくセンターサーバに接続されるなどの必要に応じて，データ放送コンテンツデータが送出される経路を，追加するなど，逐次変更することが可能となる。
【００４６】
センターサーバは，必要に応じて，データ放送コンテンツデータの送出と共有可能なデータ放送コンテンツデータの予備送出をするようにしてもよい。したがって，例えば，障害時などでデータ放送コンテンツデータの送出が不能となった場合に，データ放送コンテンツデータを送出する予備的手段として，データ放送コンテンツデータを送出（予備送出）することが可能となる。
【００４７】
センターサーバは，素材データを放送局ごとに予め登録されたデータ形式に変換するように構成してもよい。
【００４８】
センターサーバは，データ放送コンテンツデータをデータカルーセル方式データであるデータカルーセル構造にマッピングなどのセクション化して，パケット化するように構成してもよい。
【００４９】
センターサーバは，静止画，動画などの画像および声，音などの音声からなる画音データとデータ放送されるデータ放送コンテンツデータとを連動させるための編成制御データを，画音データと，データ放送コンテンツデータとパケット化することに加えて，さらにパケット化するように構成してもよい。
【００５０】
編成制御データは，例えば，放送局などから，ネットワークを介してセンターサーバに伝送されるように構成してもよい。
【００５１】
センターサーバは，前記データ放送コンテンツデータをデータカルーセル送出方式により送出するためカルーセル構造にセクション化することを特徴とする，
【００５２】
センターサーバは，非同期通信方式によりネットワークを介して，トランスポートストリーム化したデータ放送コンテンツデータを伝送するように構成してもよい。なお，非同期通信方式は，上記データ放送提供システムにおいて採用される非同期通信方式とほぼ同様の構成を有する。
【００５３】
センターサーバは，仮想専用回線であるネットワークを介してデータ放送コンテンツデータを編成，制作，または登録する特定処理代行するように構成してもよい。なお，特定処理代行は，クライアントである利用者端末装置からのアクセスによって依頼された処理を行い，その結果を利用者端末装置に提供する処理の総称である。例えば，ＡＳＰ（アプリケーション・サービス・プロバイダ）サービスなどが挙げられる。また，仮想専用回線は，専用回線ではない回線において，仮想的に専用回線とほぼ同等の機能を有する，回線の総称をいう。例えば，ＩＰ−ＶＰＮなどが挙げられる。
【００５４】
センターサーバは，少なくとも株価情報データ又は気象情報データ等の自動更新データが含まれるデータ放送コンテンツデータを，仮想専用回線であるネットワークを介して，例えば，放送局などに代わり一括して受信するように構成してもよい。
【００５５】
センターサーバは，例えば，放送局などから依頼された処理に応じて，上記依頼された放送局に対して課金する課金処理装置をさらに備えるように構成してもよい。
【００５６】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００５７】
（１　ビジネスモデルの概略）
まず，図１を参照しながら，本実施の形態にかかるデータ放送提供システム等のビジネスモデルの概念について説明する。なお，本明細書において「データ放送提供」とは，放送局からのアクセスに対して，有料または無料でデータ放送するための制作，編成，登録，またはアップロード（転送）等の放送局側で行う処理を代行するサービス全般を総称するものとする。
【００５８】
（１．１　システム構成）
図１に示すように，放送事業者においては，インターネットなどのネットワーク１２またはネットワーク１４を介して，データ放送などの番組を放送する放送局，放送するための番組データを提供するサーバ，コンピュータ装置などのさまざまな放送機器（放送設備）が相互に接続されている。
【００５９】
これらの放送設備のうち，データ放送をはじめ様々な番組を放送する放送設備は，放送局４（４ａ，４ｂ，・・・，４ｎ）を構成する。放送局４は，後程詳細に説明するが，少なくとも，ネットワーク１２またはネットワーク１４を介してセンターサーバにアクセスする利用者端末装置，送出装置，または多重化装置などを備えた放送設備である。ここで放送局４の放送は，地上波アナログ放送を示すが，ＢＳデジタル放送，ＣＳデジタル放送，ラジオ放送，なども含まれる。
【００６０】
また，放送局４から放出される番組データからなる電波を受信して，テレビ（ＴＶ）などの受像装置に表示するための放送設備は，受信端末装置６（６ａ，６ｂ，・・・，６ｎ）を構成する。
【００６１】
受信端末装置６は，後程詳細に説明するが，少なくとも番組データを表示するディスプレイ装置９０（例えば，テレビ受像装置などが挙げられる。）と，受信する番組データのうちから選択されたチャンネルの番組データを取出して，ディスプレイ装置に表示させるチャンネル選択受信装置９１とを備えている。
【００６２】
なお，番組データは，少なくとも画音データ，データ放送コンテンツデータが含まれて，放送局４から受信端末装置６に送出されるデータの総称に該当する。
【００６３】
また，ネットワーク１２に接続される放送設備のうち，気象情報，株価情報，または交通情報などの各種特定の情報をリアルタイムで提供する放送設備は，コンテンツ提供サーバ８を構成する。コンテンツ提供サーバ８は，少なくとも中央演算処理装置（ＣＰＵ），通信装置，および記憶装置を備えた情報処理装置であり，一般的にはコンピュータ装置である。コンテンツ提供サーバ８は，随時センターサーバ２に気象情報などを含むリアルタイム更新されるデータ放送コンテンツデータを提供する。
【００６４】
したがって，コンテンツ提供サーバ８と一括してセンターサーバ２と契約して，データ放送コンテンツデータを送信することにより，各放送局ごとにコンテンツ提供サーバ８と専用回線により契約して送信するよりも，データ放送コンテンツデータの送信処理，初期投資，および運用コストなどの面で効率的である。
【００６５】
また，ネットワーク１６に接続される端末装置は，視聴端末装置１０（１０ａ，１０ｂ，・・・，１０ｎ）を構成する。視聴端末装置１０は，少なくとも中央演算処理装置（ＣＰＵ），通信装置，および記憶装置を備えた情報処理装置であり，一般的にはコンピュータ装置である。なお，視聴端末装置１０は，携帯端末，携帯電話，ＰＤＡ（Ｐｅｒｓｏｎａｌ　Ｄｉｇｉｔａｌ　Ａｓｓｉｓｔａｎｔｓ）などの情報処理装置も含まれる。
【００６６】
同様に，ネットワーク１２またはネットワーク１４に接続される放送設備のうち，放送局４（４ａ，４ｂ，・・・，４ｎ）それぞれに対して，「データ放送提供」のサービスである各種処理を実行する放送設備は，センターサーバ２を構成する。
【００６７】
センターサーバ２は，後程詳細に説明するが，少なくとも，データ放送をするためのデータ放送コンテンツデータを編成する編成装置と，データ放送コンテンツデータを制作する制作装置と，制作されたデータ放送コンテンツデータを登録し，またはデータ放送コンテンツデータを制作するための素材データを登録する素材共有装置とを備える。
【００６８】
なお，データ放送コンテンツデータは，番組データに含まれるデータ放送するためのコンテンツデータであり，動画，静止画，音声，もしくはテキストのうちいずれか１つまたは任意の組合せからなるデータである。また，データ放送コンテンツデータは，プログラム言語により制作されるが，例えば，ＢＭＬ（Ｂｒｏａｄｃａｓｔ　Ｍａｒｋｕｐ　Ｌａｎｇｕａｇｅ）であるマークアップ言語，ＥＣＭＡＳｃｒｉｐｔであるスクリプト言語などが挙げられる。
【００６９】
データ放送のプラットフォームとして役割を果たすセンターサーバ２は，データ放送における編成や送出などの処理を放送局４問わず，各放送局一括して行うことにより，各放送局４で管理しなければならないデータ放送設備／運用など設備／運用的な側面を効率化する。
【００７０】
（１．２　データ放送設備を有する放送局）
ここで，図２を参照しながら，データ放送を放送するための設備を有する場合の放送局４について説明する。図２は，本実施の形態にかかるデータ放送設備を有する放送局の概略を示すブロック図である。
【００７１】
図２に示すように，放送局４は，アナログ放送又はデジタル放送の本線の映像・音声が含まれる番組データを放送するための画音データ系システム１８と，番組データを編成するための編成システム２０と，データ放送コンテンツデータを制作して，送出するためのデータ放送コンテンツデータ系システム２２と，多重化装置２４とを備える。
【００７２】
また，編成システム２０には，専用端末２３が，専用回線網で接続されており，専用端末２３により，例えば，番組データを放送する日付，開始放送時間，終了放送時間，または放送される帯域などを設定することにより編成される。
【００７３】
データ放送コンテンツデータ系システム２２は，放送されるデータ放送コンテンツデータを管理保持するコンテンツ管理装置２６と，データ放送コンテンツデータを作成するための材料となる素材データを登録する素材受入装置２１と，データ放送コンテンツデータを制作する自動制作装置１９と，データ放送コンテンツデータをパケット化して送出する送出装置２８とを備える。
【００７４】
コンテンツ管理装置２６には，専用端末２５が，専用回線網で接続されており，制作されたデザインデータ又はテキストデータなどからなるデータ放送コンテンツデータ１７を専用端末２５により，コンテンツ管理装置２６に転送されて管理保持される。
【００７５】
同様に，素材受入装置２１には，専用端末２７が，専用回線網により接続されており，気象情報データ又は交通情報データなどのリアルタイムデータ放送コンテンツデータ２９，またはデータ放送コンテンツデータを作成するための素材データを専用端末２７により，素材受入装置２１に転送する。
【００７６】
転送されたリアルタイムデータ放送コンテンツ素材データ２９は，自動制作装置１９により，編成システム２０にて編成された情報（例えば，編成情報データ。）に基づき，データ放送するためのデータ放送コンテンツデータに加工／制作されて送出装置２８により送出される。
【００７７】
上記専用端末２３，２５，２７は，いずれも放送局４内に設置されて専用回線網に接続されていることから，他の放送局４とは互換性がなく，放送局４ごとに専用回線を配置して，さらに専用端末を開発して制作する必要がある。
【００７８】
（１．３　放送局のデータ放送設備について）
以上から，特にＢＳデジタル放送の委託放送事業者や番組供給会社（番供）では，現状では図１に示す上記センターサーバ２のようなプラットフォームが存在せず，図２に示す放送局４にデータ放送設備を有する必要があることから，センターサーバ２を共有して設置することにより，個々に編成，送出に関して設備投資することなく，またその運用にあたり，多くの専門的な知識を有する人材を放送局４内に抱える必要がないという効果があげられる。
【００７９】
さらに現在の各地域の地上波放送局４は，経営的に危機に瀕している放送局が多く，デジタル放送であるデータ放送を開始するに際しての設備投資や２０１１年までの現状のアナログ波とのサイマル放送の義務，多チャンネル放送による運用効率の低下が考えられることなどを考慮すると，地上波のデジタル放送化は放送局４にとっては今後のビジネス構造を再構築する上での重要なポイントとなっている。
【００８０】
従って，放送局４においては，データ放送によるデジタル放送化に対する設備投資を抑えること。サイマル放送における放送運行の効率化。さらに放送設備／運用の経費をいかに抑えることなどが求められている。
【００８１】
つまり，図１に示すセンターサーバ２が，各放送局４に対して「データ放送提供」することにより，データ放送のプラットフォームを果たすことが可能となる。また，各放送局４のデータ放送設備をセンターサーバ２に集約されることから，データ放送における設備投資を抑えて，さらに放送運行の運用効率の向上及び運用コストを抑えることが可能となる。以下，詳細にセンターサーバ２を有するデータ放送提供システムについて説明する。
【００８２】
（２　データ放送提供システムの各コンポーネントの構成）
次に，本実施の形態にかかるデータ放送提供システムの各コンポーネントの構成について説明する。
【００８３】
（２．１　ネットワーク１２）
ネットワーク１２は，センターサーバ２と放送局４とを相互に双方向通信可能に接続し，さらにコンテンツ提供サーバ８とセンターサーバ２とを双方向通信可能に接続するものであり，典型的には，インターネットによる公衆回線網において仮想的専用回線網として接続可能なネットワークである。例えば，ＩＰ−ＶＰＮ（Ｉｎｔｅｒｎｅｔ　Ｐｒｏｔｏｃｏｌ−Ｖｉｒｔｕａｌ　Ｐｒｉｖａｔｅ　Ｎｅｔｗｏｒｋ）などがあげられる。したがって，本実施の形態にかかる仮想的専用回線網は，専用回線網をはじめ，不正アクセスや盗聴に対して強固なセキュリティを持つ公衆回線網であれば，かかる例に限定されない。
【００８４】
（２．２　ネットワーク１４）
ネットワーク１４は，センターサーバ２と放送局４とを相互に双方向通信可能に接続するものであり，典型的には，非同期通信方式（非同期通信モード）により接続されるＡＴＭ網であるが，フレームリレー網，専用回線網，または仮想的専用回線網なども含まれる。また，ネットワーク１４は，有線無線を問わず，衛星通信網なども含む。なお，ＡＴＭ網は，電話用の回線交換網，コンピュータ用のパケット交換網などのネットワーク交換網が含まれる。
【００８５】
（２．３　ネットワーク１６）
ネットワーク１６は，センターサーバ２と視聴端末装置１０とを双方向通信可能に接続するものであり，典型的には，インターネットなど公衆回線網であるが，ＷＡＮ，ＬＡＮなどの閉鎖回線網も含む。また，ネットワーク１６は，有線無線を問わず，衛星通信網なども含む。
【００８６】
（２．４　センターサーバ２）
センターサーバ２は，放送局４からのアクセスに応じて処理を行い，処理結果を放送局４に提供して，データ放送をするためのデータ放送コンテンツデータを編成，制作，または送出などを行う処理装置の集まりである。
【００８７】
次に，図３を参照しながら，本実施の形態にかかるセンターサーバ２の構成について説明する。図３は，本実施の形態にかかるセンターサーバの概略的な構成を示すブロック図である。
【００８８】
図３に示すように，センターサーバ２は，編成装置３０と，素材共有装置３２と，データ放送コンテンツデータを制作する制作装置３４と，更新素材加工装置３６と，課金処理装置３８と，変換装置３９と，パケット化してデータを送出する送出装置３１と，各送出装置３１の共有する予備装置である予備送出装置３３と，ＡＴＭ網に変換して伝送するＡＴＭ変換装置３５と，各ＡＴＭ変換装置３５の予備装置である予備ＡＴＭ変換装置３７と，Ｗｅｂサーバ４０と，二次ＴＭＳ（Ｔｒａｎｓａｃｔｉｏｎ　Ｍａｎａｇｅ　Ｓｅｒｖｅｒ）４１とを備える。
【００８９】
ここで，本実施の形態にかかる送出装置３１とＡＴＭ変換装置３５とは，別の装置である場合を例にあげて説明したが，かかる例に限定されず，例えば，送出装置３１とＡＴＭ変換装置３５とが一体となった一の送出装置からなる場合であっても実施可能である。
【００９０】
同様に，本実施の形態にかかる予備送出装置３３と予備ＡＴＭ変換装置３７とは，別の装置である場合を例にあげて説明したが，かかる例に限定されず，例えば，予備送出装置３３と予備ＡＴＭ変換装置３７とが一体となった一の装置からなる場合であっても実施可能である。
【００９１】
センターサーバ２は，放送局４に依存することなく，放送局４からのアクセスに基づき，各所定の処理を行う。さらに放送局４からアクセスを受信した際には，データ放送提供をサービスするためのログイン処理を要する。したがって，各放送局４を識別するためのログインＩＤ（ＩＤ番号）およびパスワード又は指紋などにより，認証を行う。認証については，後程詳述する。
【００９２】
編成装置３０は，データ放送するために，制作されたデータ放送コンテンツデータを編成する。編成されたデータ放送コンテンツデータに対して，編成装置３０は，編成情報データを作成及び登録する。なお，編成装置３０は，少なくともＣＰＵと通信装置と記憶装置とを備えたＡＳＰ（アプリケーション・サービス・プロバイダ）サーバであり，一般的にはサーバ機能を具備したコンピュータ装置である。したがって，各放送局４からのアクセスされた指示命令に応じた編成処理をし，各処理結果をアクセス元の放送局４に返信する。
【００９３】
編成情報データは，データ放送コンテンツデータの放送される日付，開始時間，終了時間，またはデータ放送コンテンツデータの放送帯域などの編成情報が設定されている。編成情報データに基づいて，データ放送コンテンツデータは送出される。
【００９４】
素材共有装置３２は，各放送局ごとに，データ放送コンテンツデータの材料となる素材データまたは放送直前のデータ放送コンテンツデータなどを管理保有する。また素材共有装置３２は，少なくともＣＰＵと通信装置と記憶装置とを備えたＡＳＰサーバであり，一般的にはサーバ機能を具備したコンピュータ装置である。したがって，データ放送コンテンツデータ各放送局４からのアクセスされた指示命令に応じた登録処理をし，各処理結果をアクセス元の放送局４に返信する。素材データ，データ放送コンテンツデータは，素材共有装置３２のコンテンツＤＢに管理保有される。
【００９５】
制作装置３４は，素材共有装置３２のコンテンツＤＢに管理保有された素材データなどから加工，または複数の素材データなどを組合わせるなどすることにより，データ放送コンテンツデータを制作する。
【００９６】
さらに制作装置３４は，制作されたデータ放送コンテンツデータが，所定の規格であるか規格チェックを行い，予め放送局４が制作装置３４の記憶装置に登録した規格に自動的に変換する。例えば，画像のサイズ，またはデータ圧縮の比率などである。
【００９７】
したがって，データ放送コンテンツデータを放送するために素材共有装置３２に登録する段階で，データ放送コンテンツデータのデータフォーマットが変換されて，各放送局で統一されるため，制作されたデータ放送コンテンツデータを登録時に，再度登録基準に合わせるための作り直し処理が不要なため，制作処理の効率化および制作コストを低く抑えることが可能となる。
【００９８】
また制作装置３４は，少なくともＣＰＵと通信装置と記憶装置とを備えたＡＳＰサーバであり，一般的にはサーバ機能を具備したコンピュータ装置である。したがって，各放送局４からのアクセスされた指示命令に応じた制作処理をし，各処理結果をアクセス元の放送局４に返信する。
【００９９】
更新素材加工装置３６は，コンテンツ提供サーバ８から伝送されるリアルタイム更新されるデータ放送コンテンツデータを放送するために，画像サイズなど加工処理して，または送出装置３７に伝送する。
【０１００】
また更新素材加工装置３６は，少なくともＣＰＵと通信装置と記憶装置とを備えたＡＳＰサーバであり，一般的にはサーバ機能を具備したコンピュータ装置である。
【０１０１】
課金装置３８は，編成装置３０，素材共有装置３２，制作装置３４，または更新素材加工装置３６の各装置に対してアクセスがあった場合，アクセスした放送局４に対してアクセスに応じた課金処理をする。課金は，アクセス回数，アクセスして依頼した処理内容，またはアクセス時間など多種多様な課金条件から選択することが可能である。また，課金処理は，例えば，アクセス後または日次など一定時間ごとに，各放送局に対する課金データを作成して，各放送局にネットワーク１２などを介して送信される。なお，課金装置３８は，各放送局に対する課金データを作成後，例えば，日次または月次単位に各放送局に対する決済処理を実施することも可能である。
【０１０２】
変換装置３９は，ＡＰＣ（Ａｕｔｏｍａｔｉｃ　Ｐｒｏｇｒａｍ　Ｃｏｎｔｒｏｌｌｅｒ）信号をデータ放送する際に，画音データとデータ放送コンテンツデータとを連動させるための規格に沿ったイベントメッセージデータ信号ＭＳに変換する。なお，イベントメッセージ信号ＭＳは，指示データであり，少なくとも画音データ，データ放送コンテンツデータとともに番組データに含まれて送出される。
【０１０３】
送出装置３１（３１ａ，３１ｂ，・・・，３１ｎ）は，ネットワーク１２またはネットワーク１４に接続された放送局４ごとに設置して，またはＴＳ（トランスポート・ストリーム）別に設置する。なお，ＴＳは，例えば，ＭＰＥＧ−２システム規格に規定されている。
【０１０４】
送出装置３１は，編成装置３０に記憶されている編成情報データに基づいて，カルーセル形式（カルーセル構造）のデータであるデータ放送コンテンツデータまたは番組配列情報データを，ＴＳパケット形式にマッピングするために構造化（セクション化）を行い，１８８ｂｙｔｅからなるＴＳパケット形式にパケット化する。なお，パケット化されたデータ放送コンテンツデータ（データ放送コンテンツデータＴＳ）については，データカルーセル方式により送出される。また，ＴＳパケット形式以外のパケット化による送出も実施可能である。
【０１０５】
同様に，ＡＴＭ変換装置３５（３５ａ，３５ｂ，・・・，３５ｎ）は，ネットワーク１２またはネットワーク１４に接続される放送局４またはＴＳごとに，設置される。
【０１０６】
ＡＴＭ変換装置３５は，上記送出装置３１にて送出されたデータ放送コンテンツデータＴＳを，ＡＴＭ網からなるネットワーク１４を介して放送局へ伝送するために，セルと呼ばれる固定長（５３バイト）フレームからなるデータ放送コンテンツデータＡＴＭに変換する。
【０１０７】
なお，本実施の形態にかかるＡＴＭ変換装置３５は，送出装置３１（３１ａ，３１ｂ，・・・，３１ｎ）１台ごとに直列に接続される場合を例にあげて説明したが，かかる例に限定されず，例えば，送出装置３１（３１ａ，３１ｂ，・・・，３１ｎ）全体を一括して１台のＡＴＭ変換装置３５を直列に接続した場合であっても実施可能である。
【０１０８】
（２．４．１　予備送出装置３３，予備ＡＴＭ変換装置３７）
次に，予備送出装置３３は，送出装置３１（３１ａ，３１ｂ，・・・，３１ｎ）とほぼ同様の構成であり，送出装置３１に併設されている。予備送出装置３３は，送出装置３１の予備的な装置であり，送出装置３１（３１ａ，３１ｂ，・・・，３１ｎ）又はＡＴＭ変換装置３５（３５ａ，３５ｂ，・・・，３５ｎ）のうちいずれかが，例えば，障害などにより処理不能となった場合，予備送出装置３３が代替して処理を行う。したがって，例えば，送出装置３１及びＡＴＭ変換装置３５が平常時などの場合，予備送出装置３３には，データ放送コンテンツデータは伝送されず，各放送局４または各ＴＳ別に担当する当該送出装置３１に伝送される。
【０１０９】
なお，本実施の形態にかかる予備送出装置３３は，送出装置３１（３１ａ，３１ｂ，・・・，３１ｎ）全体に対して，１台の予備送出装置３３が設置される場合を例にあげて説明したが，かかる例に限定されず，例えば，各送出装置３１ごとに１台ずつ予備送出装置３３を設置することも実施可能である。つまり，送出装置３１ａに１台の予備送出装置３３が併設されて，送出装置３１ｂに１台の予備送出装置３３が併設され，・・・，送出装置３１ｎに１台の予備送出装置３３が併設される。
【０１１０】
同様に，予備ＡＴＭ変換装置３７は，ＡＴＭ変換装置３５（３５ａ，３５ｂ，・・・，３５ｎ）とほぼ同様の構成であり，予備送出装置３３に直列に接続される。予備ＡＴＭ変換装置３７は，ＡＴＭ変換装置３５の予備的な装置であり，送出装置３１（３１ａ，３１ｂ，・・・，３１ｎ）又はＡＴＭ変換装置３５（３５ａ，３５ｂ，・・・，３５ｎ）のうちいずれかが，例えば，障害などにより処理不能となった場合，予備ＡＴＭ変換装置３３が代替して処理を行う。したがって，送出装置３１及びＡＴＭ変換装置３５が例えば平常時などの場合，予備ＡＴＭ変換装置３７には，データ放送コンテンツデータは伝送されず，当該ＡＴＭ変換装置３５に伝送される。
【０１１１】
なお，本実施の形態にかかる予備ＡＴＭ変換装置３７は，ＡＴＭ変換装置３５（３５ａ，３５ｂ，・・・，３５ｎ）において１台の予備ＡＴＭ変換装置３５が設置される場合を例にあげて説明したが，かかる例に限定されず，例えば，ＡＴＭ変換装置３５ごとに１台ずつ予備ＡＴＭ変換装置３７を設置することも実施可能である。つまり，ＡＴＭ変換装置３５ａに１台併設されて，ＡＴＭ変換装置３５ｂに１台併設されて，・・・，ＡＴＭ変換装置３５ｎに１台併設される。
【０１１２】
Ｗｅｂサーバ４０は，編成装置３０において登録された編成情報データに基づいて作成され，放送局４ごとに放送予定である番組情報が含まれたＷｅｂページデータを管理保有する。
【０１１３】
Ｗｅｂページデータは，ＷＷＷ（Ｗｏｒｌｄ　Ｗｉｄｅ　Ｗｅｂ）のＷｅｂ上で，例えば視聴端末装置１０に記憶された閲覧ソフト（ブラウザソフト）などにより表示可能な情報ページであり，例えばＨＴＭＬ（Ｈｙｐｅｒ　Ｔｅｘｔ　Ｍａｒｋｕｐ　Ｌａｎｇｕａｇｅ）などの言語によって記述される。
【０１１４】
またＷｅｂサーバ４０は，少なくともＣＰＵと通信装置と記憶装置とを備えた情報処理装置であり，一般的にはサーバ機能を具備したコンピュータ装置である。したがって，各視聴端末装置１０からのアクセスに応じて，Ｗｅｂサーバ４０は，要求された当該Ｗｅｂページデータをアクセス元の各視聴端末装置１０に送信する。
【０１１５】
Ｗｅｂページデータの情報の更新は，編成情報データが更新されるごとに，もしくは数時間おきなどの一定時間ごとに，任意に設定可能なタイミングで更新される。
【０１１６】
二次ＴＭＳ４１は，視聴端末装置１０から，例えば，電話回線などのネットワーク１６を介してアクセスされた結果を集計して，集計結果データであるリアルタイムに更新可能なデータ放送コンテンツデータを更新素材加工装置３６又はＷｅｂサーバ４０に送信する情報処理装置である。例えば，音楽などのリクエストなど，番組放送中，随時アクセスを募集してその結果であるリクエストの集計状況などを，放送番組中，リアルタイムに反映させる場合などに活用される。
【０１１７】
（２．５　放送局４）
次に，図４を参照しながら，本実施の形態にかかる放送局４の構成について説明する。図４は，本実施の形態にかかる放送局の概略的な構成を示すブロック図である。
【０１１８】
図４に示すように，放送局４は，ＥＤＰＳ４２と，利用者端末装置４３と，ＤＳ（Ｄａｔａ　Ｓｅｒｖｅｒ）４４と，ＡＰＣ（自動番組制御装置）４５と，例えば，画音データ等の番組データを管理保有する番組サーバ４６と，ＣＭ（Ｃｏｍｍｅｒｃｉａｌ　Ｍｅｓｓａｇｅ）サーバ４７と，スイッチ装置４８と，アップコンバータ装置４９と，ＨＤ（Ｈｉｇｈ　Ｄｅｆｉｎｉｔｉｏｎ）エンコーディング装置５０と，ＳＤ（Ｓｔａｎｄａｒｄ　Ｄｅｆｉｎｉｔｉｏｎ）エンコーディング装置５１と，ＥＰＧ（Ｅｌｅｃｔｒｏｎｉｃ　Ｐｒｏｇｒａｍ　Ｇｕｉｄｅ）送出装置５２と，ＭＣＳ（符号化多重化装置）５３と，ＴＳ変換装置５４と，多重化装置５５と，モジュレータ５６と，送信装置５７と，ＡＴＭ通信装置５８とを備える。
【０１１９】
ＥＤＰＳ４２は，例えば，番組の放送開始／終了時刻などの編成管理，ＣＭ契約管理，ＣＭが放送される時刻を管理するＣＭ進行（送出）管理などの処理を実行して確定運行データ（放送進行データ）をＤＳ４４に送信する，放送情報システム，あるいは営業放送システムと呼ばれる装置の集まり（システム）である。
【０１２０】
利用者端末装置４３は，ネットワーク１２を介してセンターサーバ２と接続されており，認証してログイン後アクセスすることにより，少なくともデータ放送コンテンツデータの制作，編成，管理保有などの処理をするように，センターサーバ２に備わる各種装置（編成装置３０，素材共有装置３２，制作装置３４，または更新素材加工装置３６）に指示する。
【０１２１】
利用者端末装置４３は，少なくともＣＰＵ（中央演算処理装置）と通信装置と記憶装置と入力装置とディスプレイ装置とを備えた情報処理装置であり，一般的にはコンピュータ装置であり，例えば，ラップトップ型の携帯用コンピュータ，ＰＤＡ，デスクトップ型のコンピュータなどが挙げられる。
【０１２２】
ＤＳ４４は，ＥＤＰＳ４２から確定運行データを受信して，確定運行データに基づいて，プレイリストデータ（イベントデータ）を作成する。プレイリストデータは，例えば，機器を制御するための制御情報，機器の切替時間などを含む所定の放送日前に転送される放送進行データまたは独立データ番組のＰＭＴデータなどである。
【０１２３】
また，ＤＳ４４は，ＥＤＰＳ４２に代わって，例えば，２４時間体制で放送中や放送直前のリアルタイム放送に関わる放送される番組データの管理，またはＥＰＧデータなどの管理を一元的に行う。ＤＳ４４は，少なくともＣＰＵと通信装置と記憶装置とを備えた情報処理サーバであり，一般的にはサーバ機能を具備したコンピュータ装置である。
【０１２４】
ＡＰＣ４５は，ＤＳ４４からプレイリストデータを受信後，プレイリストデータに基づいて，例えば，放送局４内の各種機器の起動，停止，または放送時刻と放送される番組データとを連動させるなどためにＡＰＣ（自動番組制御）データ信号ＡＰを生成する。
【０１２５】
ＥＰＧ送出装置５２は，ＤＳ４４からＥＰＧデータを受信後，ＥＰＧデータをＴＳパケット化により，ＥＰＧデータＴＳに変換して，多重化装置５５に送出する。なお，ＥＰＧについては，後程詳述する。
【０１２６】
ＴＳ変換装置５４は，センターサーバ２からＡＴＭ網であるネットワーク１４を介してデータ放送コンテンツデータＡＴＭを受信すると，ＴＳパケット形式のデータ放送コンテンツデータＴＳに変換処理する。
【０１２７】
モジュレータ５６は，多重化装置５５から例えば，データ放送コンテンツデータ，画音データ，ＥＰＧデータなどが多重化された番組データＭＵを受信することにより，適当な周波数からなる電波に変換する。
【０１２８】
送信装置５７は，出力された電波を受信端末装置６に向けて放出することにより番組データを伝送する。なお，本実施の形態にかかる送信装置５７は，地上アンテナである場合を例にあげて説明したが，かかる例には限定されず，例えば，衛星の場合であっても実施可能である。
【０１２９】
（２．６　受信端末装置６）
次に，図５を参照しながら，本実施の形態にかかる受信端末装置６の構成について説明する。図５は，本実施の形態にかかる受信端末装置の概略的な構成を示すブロック図である。
【０１３０】
図５に示すように，受信端末装置６は，チャンネル選択受信装置９１と，ディスプレイ装置９０と，リモコン（リモートコントロール）９２とを備え，上記チャンネル選択受信装置９１は，受信部６０と，チューナー部６２と，復調部６４と，デマルチプレクサ（ＤｅＭｕｌｔｉｐｌｅｘｅｒ）６６と，デスクランブラ（Ｄｅｓｃｒａｍｂｌｅｒ）部６８と，ＭＰＥＧ（Ｍｏｖｉｎｇ　Ｐｉｃｔｕｒｅ　Ｉｍａｇｅ　Ｅｘｐｅｒｔｓ　Ｇｒｏｕｐ）復調部７０と，ＩＲ（Ｉｎｆｒａｒｅｄ　Ｒａｙ）−受信部７２と，通信部７４と，Ｄ／Ａコンバータ部７６と，ＩＣ（Ｉｎｔｅｇｒａｔｅｄ　Ｃｉｒｃｕｉｔ）−Ｃａｒｄ部７８と，ＨＤＤ（ハードディスクドライブ）８０と，ＶＲＡＭ（Ｖｉｄｅｏ　Ｒａｎｄｏｍ　Ａｃｃｅｓｓ　Ｍｅｍｏｒｙ）８２と，ＲＡＭ（Ｒａｎｄｏｍ　Ａｃｃｅｓｓ　Ｍｅｍｏｒｙ）８４と，ＲＯＭ（Ｒｅａｄ　Ｏｎｌｙ　Ｍｅｍｏｒｙ）８６と，ＣＰＵ８８とを備える。
【０１３１】
受信部６０は，放送局４から放出された番組データＭＵが含まれる電波を受信する。受信した電波は，チューナー部６２に送信される。なお，本実施形態にかかる受信部６０は，アンテナである場合を例にあげて説明したが，かかる例に限定されず，例えば，光ファイバケーブルなどにより受信しても実施可能である。
【０１３２】
なお，本実施の形態にかかる受信端末装置６および視聴端末装置１０は，別の端末装置である場合を例に説明したが，かかる例に限定されず，例えば，受信端末装置６および視聴端末装置１０とを一体化させて，両者の機能を有する受信端末装置６などでも実施可能である。
【０１３３】
デマルチプレクサ６６は，放送局４に備わる多重化装置５５により多重化されて１本に束ねられた番組データＭＵを，例えばデータ放送コンテンツデータＴＳ又は画音データＴＳなど，それぞれ入力元の複数のＴＳデータに復元する。
【０１３４】
ＩＲ−受信部７２は，リモコン９２が赤外線（Ｉｎｆｒａｒｅｄ　Ｒａｙ：ＩＲ）により送信する操作指示データを受信すると，上記操作指示データをデジタル変換する。
【０１３５】
ディスプレイ装置９０は，ＭＰＥＧ復調部７０でデコードされて，Ｄ／Ａコンバータ部７６にてアナログ変換されたデータ放送コンテンツデータ含め番組データを表示する。なお，本実施の形態にかかるディスプレイ装置９０は，テレビ受像機である場合を例にあげて説明したが，かかる例に限定されず，例えば，ＰＤＡなどの携帯型コンピュータ装置に備わるディスプレイ装置であっても実施可能である。またアナログ変換の不要な場合は，Ｄ／Ａコンバータ部７６は設置されない。
【０１３６】
（３．　データ放送提供システムにおける画面構成）
次に，本実施の形態にかかるデータ放送提供システムの理解を深めるために，添付図面を参照しながら，本実施の形態にかかるデータ放送提供システムを適用した利用者端末装置４３のディスプレイ装置及び受信端末装置６のディスプレイ装置９０に表示される画面構成例について説明する。
【０１３７】
なお，以下の画面においては，閲覧ソフト（ブラウザ）を使用して利用者端末装置４３のディスプレイ装置およびディスプレイ装置９０に表示されるが，閲覧ソフトの種類に依存せず，本実施の形態にかかるデータ放送提供システムを実施することは可能である。
【０１３８】
（３．１　利用者端末装置４３のディスプレイ装置における表示画面）
まず利用者端末装置４３は，センターサーバ２に，データ放送コンテンツデータを編成，制作，管理保有などの処理をさせる場合，図６に示すように，利用者端末装置４３のディスプレイ装置に各処理をさせるためのトップページ画面９５が表示される。トップページ画面９５を表示するためのトップページ画面データは，利用者端末装置４３に備わる記憶装置（図示せず。）に記憶されており，利用者端末装置４３が起動するとディスプレイ装置に表示される。
【０１３９】
図６に示すように，トップページ画面９５は，編成処理ボタン９６と，制作処理ボタン９７と，素材登録処理ボタン９８と，更新素材登録処理ボタン９４とから構成されている。なお，本実施の形態にかかるトップページ画面９５は，かかる例に限定されず，処理させる種類が増えた場合，随時，トップページ画面に当該処理させる処理ボタンを追加することは実施可能である。
【０１４０】
さらに，トップページ画面９５に表示された該当処理ボタン（編成処理ボタン９６，制作処理ボタン９７，素材登録処理ボタン９８，または更新素材登録処理ボタン９４）が，利用者端末装置４３の入力装置，例えば，キーボード又はマウスなどで選択されると，センターサーバ２に備わる当該装置から認証画面データが送信されて利用者端末装置４３のディスプレイ装置に表示される。認証画面については後述する。
【０１４１】
（３．１．１　認証画面）
次に，図７を参照しながら，本実施の形態にかかる認証画面について説明する。図７は，本実施の形態にかかる認証画面を概略的に示す説明図である。
【０１４２】
図７に示すように，認証画面９９は，放送局を識別するＩＤ番号を入力するためのＩＤ入力部１００と，パスワードを入力するためのＰＷ入力部１０２と，ログインボタン１０４とから構成される。
【０１４３】
認証画面９９は，トップページ画面に表示される処理ボタンが選択されるたびに，センターサーバ２に備わる当該処理ボタンに対応する各装置から認証画面データが送信されて，利用者端末装置４３のディスプレイ装置に表示される。例えば，編成処理を指定する場合は，トップページ画面９５の編成処理ボタン９６が選択されて，編成装置３０の記憶装置（図示せず。）に記憶された認証画面９９を表示するための認証画面データが利用者端末装置４３に送信されて，ディスプレイ装置に認証画面９９が表示される。
【０１４４】
次に，ＩＤ入力部１００及びＰＷ入力部１０２に，利用者端末装置４３に備わるキーボードなどが使用されて，データ放送提供サービス利用の契約時などで予め定められたＩＤ番号及びパスワードが入力される。入力後，ログインボタン１０４が利用者端末装置４３のマウスなどにより選択される。
【０１４５】
利用者端末装置４３は，認証情報であるログインデータを，センターサーバ２に備わる当該装置に送信する。受信した当該装置は，記憶装置に記憶された認証ＤＢに基づいて，上記ログインデータを認証処理する，認証されると，実際の指定する処理が行われるための設定画面がディスプレイ装置に表示される。なお，当該装置は，本実施の形態では，編成装置３０，素材共有装置３２，制作装置３４，または更新素材加工装置３６であるが，かかる例に限定されず変更可能である。
【０１４６】
また，パスワードについては，利用者端末装置４３によって必要に応じて随時変更可能である。さらに，認証処理については，かかる例に限定されず，例えば，ワンタイムパスワード（Ｏｎｅ　Ｔｉｍｅ　Ｐａｓｓｗｏｒｄ）など，パスワードを入力時に，毎回動的に変更する認証方式，または指紋をスキャナである入力装置によりスキャンさせる認証方式などが挙げられる。
【０１４７】
さらに，センターサーバ２に備わる各装置（編成装置３０，素材共有装置３２，制作装置３４，または更新加工装置３６など）ごとに備えられる認証ＤＢは，各装置問わず共有（Ｓｈａｒｅｄ）されている。したがって，認証ＤＢのＤＢ内容は各装置に依存せず同じであるが，ある装置でＩＤ番号，パスワードなどの認証情報が変更／新規登録された場合は，各装置間それぞれ更新処理を行う。なお，更新処理は，例えば，登録後随時または１日に１回などの適当な頻度で行われる。
【０１４８】
（３．２　データ放送コンテンツデータ表示画面）
次に，本実施の形態にかかる受信端末装置６のディスプレイ装置９０に表示されるデータ放送コンテンツデータ表示画面について説明するが，その前にデータ放送の概略について説明する。
【０１４９】
（３．２．１　データ放送）
データ放送は，従来のアナログ放送と異なり，受信機のリモコンを用いて双方向に対話的に操作できる番組であるが，テレビ放送を行う委託放送事業者は，番組連動型，独立型のデータ放送を行っている。
【０１５０】
番組連動型とは，スポーツやクイズなど生番組や時差送出の番組データに，任意のタイミングで素早く連動することができるデータ放送コンテンツデータが提供されるデータ放送である。例えば，ＴＶ映像で出題された４択形式のクイズ番組の問題に対し，リモコン９２で回答が選択されることによって，放送中の番組と連動することが可能である。
【０１５１】
独立型とは，インターネットのＷｅｂページなどのように，一定の情報をデータ放送のみで構成されたデータ放送コンテンツデータが提供されるデータ放送である。例えば，１日中最新のニュースを提示することが可能である。さらに，提示する内容を時々刻々と変化させるデータ放送コンテンツデータが提供されるデータ放送も可能である。したがって，情報の即時性を重視した気象情報，株価為替情報などの分野で利用される。
【０１５２】
また，提供されるデータ放送コンテンツデータは，例えば，ＢＭＬ（Ｂｒｏａｄｃａｓｔ　Ｍａｒｋｕｐ　Ｌａｎｇｕａｇｅ）などのマークアップ言語，またはＥＣＭＡＳｃｒｉｐｔなどのスクリプト言語によって制作される。
【０１５３】
（３．２．２　番組連動型のデータ放送コンテンツデータ表示画面）
ここで，図８を参照しながら，番組連動型のデータ放送コンテンツデータ表示画面について説明する。図８は，本実施形態にかかる番組連動型のデータ放送コンテンツデータ表示画面の概略を示す説明図である。
【０１５４】
図８に示すように，番組連動型のデータ放送コンテンツデータ表示画面は，動画，静止画，または音声などの画音データが表示されるディスプレイ部１０６と，リクエスト情報が項目として列挙される項目表示部１１２と，項目表示部１１２に表示された項目をリモコン９２により選択されると，選択された項目に関連する情報を表示する関連情報表示部１０８とから構成される。
【０１５５】
項目表示部１１２は，ディスプレイ部１０６に表示される内容と連動して様々な項目が表示される。本実施の形態にかかる項目表示部１１２は，シネマのリクエストに関する情報が項目別（“７１”アフロヘアー，“７２”ベストボーイ，・・・，“７５”未知との出会＜特別編＞）に，表示されているが，例えば，ディスプレイ部１０６に関する，クイズを表示させることなども可能である。
【０１５６】
なお，本実施の形態にかかる番組連動型のデータ放送コンテンツデータ表示画面は，項目表示部１１２と，関連情報表示部１０８と，ディスプレイ部１０６とから構成される場合を例にあげて説明したが，かかる例に限定されず，いかなる画面構成であっても実施可能である。
【０１５７】
（３．２．３　独立型のデータ放送コンテンツデータ表示画面）
ここで，図９を参照しながら，独立型のデータ放送コンテンツデータ表示画面について説明する。図９は，本実施形態にかかる独立型のデータ放送コンテンツデータ表示画面の概略を示す説明図である。
【０１５８】
図９に示すように，独立型のデータ放送コンテンツデータ表示画面は，所望の情報を選択するための見出項目部１１４と，見出項目部１１４で選択された項目に関する情報が逐次更新されて表示される情報表示部１１６と，見出項目部１１４で選択された項目に関する情報に関連する情報が逐次更新されて表示される関連情報表示部１１８とから構成される。
【０１５９】
見出項目部１１４は，情報表示部１１６および関連情報表示部１１８に表示可能な情報を項目（株価，相場指標，海外株価，または海外指標）ごとに掲載される。したがって，情報を表示させる場合，リモコン９２に備わるカーソルボタン１２４を操作することにより，希望する情報が表示された項目まで矢印１２０を上下に移動させる。さらに，リモコン９２に備わる決定ボタン１２６が押下されることにより，情報表示部１１６および関連情報表示部１１８に当該選択項目における情報が表示される。
【０１６０】
なお，本実施の形態にかかる独立型のデータ放送コンテンツデータ表示画面は，見出項目部１１４と，情報表示部１１６と，関連情報表示部１１８と，矢印１２０とから構成される場合を例にあげて説明したが，かかる例に限定されず，いかなる画面構成であっても実施可能である。
（３．３　ＥＰＧデータ表示画面）
次に，図１０を参照しながら，ＥＰＧデータ表示画面について説明する。図１０は，本実施形態にかかるＥＰＧデータ表示画面の概略を示す説明図である。
【０１６１】
図１０に示すように，ＥＰＧデータ表示画面は，ＥＰＧ（Ｅｌｅｃｔｒｉｃ　Ｐｒｏｇｒａｍ　Ｇｕｉｄｅ）と呼ばれる電子番組表が受信者端末装置６のディスプレイ装置９０に表示される画面であり，メニュー表示部１３０と，番組一覧表示部１３２と，番組詳細情報部１３４とから構成される。
【０１６２】
メニュー表示部１３０には，番組一覧表１３２に表示される番組が，項目別に表示される。例えば，チャンネルごとの番組表を表示する“チャンネル別”または時刻ごとに各放送局で放送される番組表を表示する“時刻別”などである。
【０１６３】
番組一覧表示部１３２に番組表を表示させる場合，例えば，受信端末装置６に備わるリモコン９２などの操作指示手段により，所望の番組表が表示された項目がメニュー表示部１３０から選択されると，番組一覧表示部１３２に，例えば“時刻別”に番組表が表示される。
【０１６４】
ＥＰＧデータは，例えば，ＳＩ／ＰＳＩ（Ｓｅｒｖｉｃｅ　Ｉｎｆｏｒｍａｔｉｏｎ）／（Ｐｒｏｇｒａｍ　Ｓｐｅｃｉｆｉｃ　Ｉｎｆｏｒｍａｔｉｏｎ）である番組配列情報データなどを用いることにより，ＥＰＧ送出装置５２から受信端末装置６に伝送されて，ディスプレイ装置９０にＥＰＧデータ表示画面が表示される。なお，ＰＳＩ／ＳＩは，例えば，ＢＳデジタル放送の方式として，ＡＲＩＢ　ＳＴＤ−Ｂ１０などに規定されている。
【０１６５】
ＳＩ／ＰＳＩでは，例えば，ＮＩＴ（Ｎｅｔｗｏｒｋ　Ｉｎｆｏｒｍａｔｉｏｎ　Ｔａｂｌｅ），ＢＩＴ（Ｂｒｏａｄｃａｓｔｅｒ　ＩｎｆｏｒｍａｔｉｏｎＴａｂｌｅ），ＥＩＴ（Ｅｖｅｎｔ　Ｉｎｆｏｒｍａｔｉｏｎ　Ｔａｂｌｅ）などのテーブルと呼ばれるデータ構造を用いて，ＥＰＧデータを伝送している。なお，上記テーブルについては，後程詳述する。
【０１６６】
また，本実施の形態にかかるＥＰＧデータは，例えば，ＢＭＬ（Ｂｒｏａｄｃａｓｔ　Ｍａｒｋｕｐ　Ｌａｎｇｕａｇｅ）などのマークアップ言語，またはＥＣＭＡＳｃｒｉｐｔなどのスクリプト言語によって制作及び提供されても実施可能である。
【０１６７】
なお，本実施の形態にかかるＥＰＧデータ表示画面は，メニュー表示部１３０と，番組一覧表示部１３２と，番組詳細情報部１３４とから構成される場合を例にあげて説明したが，かかる例に限定されず，いかなる画面構成であっても実施可能である。
【０１６８】
（４．　データ放送提供システムの動作）
次に，上記のように構成されたデータ放送提供システムの動作の実施形態について説明する。
【０１６９】
（４．１　センターサーバ２における処理動作）
まず，図１１を参照しながら，本実施の形態にかかるセンターサーバ２における編成装置３０，素材共有装置３２，制作装置３４，または更新素材加工装置３６の各装置における処理動作について説明する。図１１は，本実施の形態にかかるセンターサーバにおける処理の概略について示すフローチャートである。
【０１７０】
図１１に示すように，データ放送コンテンツデータに関する編成，制作，登録などの処理をする場合，まず図６に示すように，利用者端末装置４３のディスプレイ装置に処理を選択するためのトップページ画面９５が表示されて，表示された項目から任意の処理が選択される（Ｓ１４０）。
【０１７１】
上記選択により，利用者端末装置４３は，当該処理を行うセンターサーバ２に備わる各装置（編成装置３０，素材共有装置３２，制作装置３４，または更新素材加工装置３６）に対して，アクセスをする（Ｓ１４２）。以下，各処理ごとの動作について説明する。
【０１７２】
（４．１．１　編成処理の場合）
編成装置３０は，アクセスした利用者端末装置４３に対して認証を行うため，図７に示すように，利用者端末装置４３のディスプレイ装置に認証画面を表示させる。
【０１７３】
次に，認証画面に表示されたＩＤ入力部１００にＩＤ番号が入力されて，ＰＷ入力部１０２にパスワードが入力されて，ログインボタン１０４が選択されると，編成装置３０は，認証情報であるログインデータを受信して，認証処理を行う（Ｓ１４４）。
【０１７４】
認証処理において，認証されず否認されると，その時点でエラー終了して利用者端末装置４３のディスプレイ装置にエラーメッセージが表示されるが，認証された場合，利用者端末装置４３により，データ放送コンテンツデータを編成するために，例えば，放送される日付，開始時間，終了時間，データ放送コンテンツデータが気象情報，株価情報などのリアルタイムに更新されるリアルタイム更新属性などの各種設定がされる（Ｓ１４６）。
【０１７５】
編成の設定が終了すると，設定されたデータが正確なデータであるか，例えば，日付データの設定値は範囲内であるかなど，設定データの内容をチェックする（Ｓ１４８）。
【０１７６】
上記設定データのチェックが正常に終了すると，編成された内容が編成情報データとして，例えば，データ放送コンテンツデータごとに保存される（Ｓ１５０）。なお，設定データのチェックが異常終了した場合，再度編成するための設定処理を行う（Ｓ１４６）。
【０１７７】
上記編成情報データは，放送する日付，開始時間，終了時間，番組名などの詳細情報，またはデータ放送コンテンツデータがリアルタイムに更新されるなどの属性情報が含まれる。
【０１７８】
保存処理（Ｓ１５０）が終了すると，編成装置３０は，編成処理が終了した旨のメッセージを当該利用者端末装置４３のディスプレイ装置に表示させるために，終了画面データを送信する（Ｓ１７６）。
【０１７９】
（４．１．２　制作処理の場合）
制作装置３４は，アクセスがある利用者端末装置４３に対して認証を行うため，認証画面データを送信して，図７に示すように，利用者端末装置４３のディスプレイ装置に認証画面を表示させる。
【０１８０】
次に，認証画面に表示されたＩＤ入力部１００にＩＤ番号が入力されて，ＰＷ入力部１０２にパスワードが入力されて，ログインボタン１０４が選択されると，制作装置３４は，認証情報であるログインデータを受信して，認証処理を行う（Ｓ１５２）。
【０１８１】
認証処理において，認証されず否認されると，その時点でエラー終了して利用者端末装置４３のディスプレイ装置にエラーメッセージが表示されるが，認証された場合，利用者端末装置４３により，データ放送コンテンツデータを制作するために，例えば，素材共有装置に管理保有された素材データ，または既存のデータ放送コンテンツデータなどに基づいて，さらに予め登録されたデータ放送コンテンツデータを制作するテンプレートデータなどを用いて，データ放送コンテンツデータの制作処理が行われる（Ｓ１５４）。
【０１８２】
なお，素材データは，認証された利用者端末装置４３が登録した素材データに基づいて制作する場合に限定されず，例えば，利用者端末装置４３が登録した素材データが，共有可能な素材データとして登録した場合，利用者端末装置４３以外の他の利用者端末装置４３であっても，上記共有可能な素材データに基づいてデータ放送コンテンツデータを制作することは，実施可能である。
【０１８３】
さらに，編成情報データに，例えば，データ放送コンテンツデータの制作開始時間を設定しておくことにより，制作装置４３は，制作開始時間になると，データ放送コンテンツデータの制作処理を開始することも実施可能である。
【０１８４】
制作処理（Ｓ１５４）が終了すると，制作されたデータ放送コンテンツデータの確認（プレビュー），及び放送可能な規格に準ずるデータであるか，例えば，画面のサイズは指定範囲内であるかなど，データ放送コンテンツデータをチェックする（Ｓ１５６）。
【０１８５】
上記チェックが正常に終了すると，制作されたデータ放送コンテンツデータを，制作装置３４に備えられた記憶装置の利用者端末装置４３ごとに割当てられた記憶領域に保存される（Ｓ１５８）。なお，チェックが異常終了した場合，再度チェックが異常となった個所の制作処理を行う（Ｓ１５４）。
【０１８６】
保存処理（Ｓ１５８）が終了すると，制作装置３４は，制作処理が終了した旨のメッセージを当該利用者端末装置４３のディスプレイ装置に表示させるために，終了メッセージデータを送信する（Ｓ１７６）。
【０１８７】
（４．１．３　素材登録処理の場合）
素材共有装置３２は，アクセスした利用者端末装置４３に対して認証を行うため，認証画面データを送信して，図７に示すように，利用者端末装置４３のディスプレイ装置に認証画面を表示させる。
【０１８８】
次に，認証画面に表示されたＩＤ入力部１００にＩＤ番号が入力されて，ＰＷ入力部１０２にパスワードが入力されて，ログインボタン１０４が選択されると，素材共有装置３２は，認証情報であるログインデータを受信して，認証処理を行う（Ｓ１６０）。
【０１８９】
認証処理において，認証されず否認されると，その時点でエラー終了して利用者端末装置４３のディスプレイ装置にエラーメッセージが表示されるが，認証された場合，利用者端末装置４３により，素材データまたはデータ放送コンテンツデータを登録するために，例えば，素材共有装置３２に登録するための素材データ，またはデータ放送コンテンツデータのファイル名などを指定する（Ｓ１６２）。なお，登録処理は，例えば，新規の保存，既存データの変更，削除，データ共有可能であるか否か属性の設定などが含まれる。
【０１９０】
指定処理（Ｓ１５４）が終了すると，指定された素材データまたはデータ放送コンテンツデータをチェックする（Ｓ１６４）。例えば，制作装置３４で制作されたデータ放送コンテンツデータを新規保存する場合，画面のサイズは指定範囲内であるかなど，データ放送コンテンツデータをチェックする。
【０１９１】
上記チェックが正常に終了すると，指定された素材データまたはデータ放送コンテンツデータは，素材共有装置３２に備えられたコンテンツＤＢの利用者端末装置４３ごとに割当てられた記憶領域に登録される（Ｓ１６６）。例えば，制作装置３４で制作されたデータ放送コンテンツデータを新規保存する場合，素材共有装置３２は，制作装置３４に依頼して，保有された当該データ放送コンテンツデータを受信する。受信後，素材共有装置３２のコンテンツＤＢ記憶装置は，コンテンツＤＢの割当てられた記憶領域に当該データ放送コンテンツデータを保存する。なお，チェックが異常終了した場合，再度指定処理を行う（Ｓ１６２）。
【０１９２】
登録処理（Ｓ１６６）が終了すると，素材共有装置３２は，登録処理が終了した旨のメッセージを当該利用者端末装置４３のディスプレイ装置に表示させるために，終了メッセージデータを送信する（Ｓ１７６）。
【０１９３】
（４．１．４　更新素材登録処理の場合）
更新素材加工装置３６は，アクセスした利用者端末装置４３に対して認証を行うため，認証画面データを送信して，図７に示すように，利用者端末装置４３のディスプレイ装置に認証画面を表示させる。
【０１９４】
次に，認証画面に表示されたＩＤ入力部１００にＩＤ番号が入力されて，ＰＷ入力部１０２にパスワードが入力されて，ログインボタン１０４が選択されると，更新素材加工装置３６は，認証情報であるログインデータを受信して，認証処理を行う（Ｓ１６８）。
【０１９５】
認証処理において，認証されず否認されると，その時点でエラー終了して利用者端末装置４３のディスプレイ装置にエラーメッセージが表示されるが，認証された場合，利用者端末装置４３により，コンテンツ提供サーバ８から伝送されるリアルタイムに更新されるデータ放送コンテンツデータを指定するために，例えば，データ放送コンテンツデータのファイル名などを指定する（Ｓ１７０）。
【０１９６】
指定処理（Ｓ１７０）が終了すると，指定されたデータ放送コンテンツデータが，例えば，画面のサイズをチェックして，放送可能な規格の範囲外である場合，範囲内に修正するなどの加工処理をする（Ｓ１７２）。
【０１９７】
上記加工処理が正常に終了すると，送出装置３１に当該データ放送コンテンツデータを送信処理する（Ｓ１７４）。なお，チェックが異常終了した場合，エラー警告メッセージを利用者端末装置４３のディスプレイ装置に表示させて，再度指定処理を行う（Ｓ１７０）。
【０１９８】
送出装置３１によりデータ放送コンテンツデータの送出が終了すると，更新素材加工装置３６は，コンテンツ提供サーバ８からのデータ放送コンテンツデータの受信を終了して，送出装置３１に対する送信処理（Ｓ１７４）が終了した旨のメッセージを当該利用者端末装置４３のディスプレイ装置に表示させるために，終了メッセージデータを送信する（Ｓ１７６）。
【０１９９】
以上の利用者端末装置４３により選択された各処理を，センターサーバ２の各装置が実行して，上記センターサーバ２の処理に対して，課金処理装置３８は，処理を依頼した利用者端末装置４３に課金する。
【０２００】
したがって，センターサーバ２は，利用者端末装置４３の指定処理を実行する実行内容に応じて課金することにより，着実に収益を得ることが可能となる。
【０２０１】
（４．２　番組連動する場合の処理動作）
次に，図１２を参照しながら，本実施の形態にかかるデータ放送コンテンツデータが番組連動する場合の処理動作について説明する。図１２は，本実施の形態にかかるデータ放送コンテンツデータが番組連動する場合の処理の概略について示すフローチャートである。
【０２０２】
なお，番組連動とは，番組データを構成する，動画，静止画，もしくは音声のうちいずれか一つまたは任意の組合せからなる画音データと，データ放送コンテンツデータとの連動を行うことをいう。
【０２０３】
図１２に示すように，データ放送コンテンツデータが番組連動する場合，図４に示すように，ＤＳ４４は，ＥＤＳＰ４２から送信される確定運行データに基づき，プレイリストデータを生成する（Ｓ１８０）。
【０２０４】
ＡＰＣ４５は，上記プレイリストデータを受信すると，番組サーバ４６をはじめ，ＣＭサーバ４７などを制御するためにＡＰＣデータ信号ＡＰを生成する（Ｓ１８２）。
【０２０５】
次に，番組サーバ４６又はＣＭサーバ４７は，生成されたＡＰＣデータ信号ＡＰに基づいて，画音データ信号ＧＴをスイッチャ装置４８に送信する。さらに，スイッチャ装置４８により，上記画音データ信号ＧＴは，切替制御されながら送信される（Ｓ１８４）。なお，スイッチャ装置４８は，ＡＰＣデータ信号ＡＰに基づいて切替制御する。
【０２０６】
さらに，上記送信処理（Ｓ１８４）により，ＨＤエンコーディング装置５０，またはＳＤエンコーディング装置５１は，画音データ信号ＧＴを受信すると，上記画音データ信号ＧＴをＴＳパケット形式によりパケット化して，画音データ信号ＴＳを送出する（Ｓ１８６）。
【０２０７】
同様に，ＡＰＣデータ信号ＡＰが生成（Ｓ１８２）されると，ＡＴＭ通信装置５８は，ＡＰＣデータ信号ＡＰをＡＴＭ網であるネットワーク１４を介して送信するため，例えば，ＡＰＣデータ信号ＡＰをセル単位に区切るなどの処理を行い，ＡＰＣデータ信号ＡＰＡＴＭに変換して，センターサーバ２に送信する。
【０２０８】
次に，センターサーバ２のＡＴＭ通信装置５８が上記ＡＰＣデータ信号ＡＰＡＴＭを受信後，ＡＰＣデータ信号ＡＰに復元するために，ＡＰＣデータ信号ＡＰＡＴＭを変換して，変換装置３９に送信する。
【０２０９】
上記送信処理により，ＡＰＣデータ信号ＡＰを受信すると，変換装置３９は，ＡＰＣデータ信号ＡＰから，番組連動などデータ放送コンテンツデータを制御可能なイベントメッセージデータ信号ＭＳに変換する（Ｓ１８８）。
【０２１０】
編成装置３０は，管理保有している編成情報データに設定された時刻情報などに基づいて，各放送局４（各利用者端末装置４３）に対応する送出装置３１（３１ａ，３１ｂ，３１ｃ，・・・，３１ｎ）がデータ放送コンテンツデータを抽出するために，編成情報データを送信する。
【０２１１】
当該送出装置３１は，上記編成情報データの設定されたデータ放送コンテンツデータを，素材共有装置３２から抽出して，上記受信したイベントメッセージデータ信号ＭＳと，カルーセル形式データであるデータ放送コンテンツデータとを，ＴＳパケット形式にパケット化して，データ放送コンテンツデータＴＳをＡＴＭ変換装置３５に送出して，さらにイベントメッセージデータ信号ＴＳをＡＴＭ変換装置３５に送出する（Ｓ１９０）。
【０２１２】
ＡＴＭ変換装置３５は，イベントメッセージデータ信号ＴＳと，またはデータ放送コンテンツデータＴＳとを，イベントメッセージデータ信号ＡＴＭと，またはデータ放送コンテンツデータＡＴＭとに変換して，ネットワーク１４を介して，当該放送局４のＴＳ変換装置５４に伝送する。
【０２１３】
ＴＳ変換装置５４は，上記イベントメッセージデータ信号ＡＴＭと，データ放送コンテンツデータＡＴＭを，ＴＳパケット形式に変換して，イベントメッセージデータ信号ＴＳ及びデータ放送コンテンツデータＴＳを多重化装置５５に送信する。
【０２１４】
多重化装置５５は，送出処理（Ｓ１８６）及び送出処理（Ｓ１９０）により，上記画音データ信号ＴＳ，メッセージ信号ＴＳ，およびデータ放送コンテンツデータＴＳとを受信すると，多重化処理（Ｓ１９２）をして，画音データ信号ＴＳ，イベントメッセージデータ信号ＴＳ，およびデータ放送コンテンツデータＴＳとを含む番組データＭＵを送出する。なお，送出される番組データＭＵは，モジュレータ５６により電波に変換されて，送信装置５７を通じて，受信端末装置６に放出されるが，詳細については後述する。
【０２１５】
したがって，画音データＴＳおよびデータ放送コンテンツデータＴＳに付随して，イベントメッセージデータ信号ＴＳを送出することにより，イベントメッセージデータ信号に基づいて，画音データとデータ放送コンテンツデータとを番組連動することが可能となる。
【０２１６】
なお，本実施の形態にかかる変換装置３９は，センターサーバ２に備わる場合を例にあげて説明したが，かかる例に限定されず，例えば，放送局４に備える場合であっても実施することが可能である。
【０２１７】
（４．３　変換装置３９が放送局４に備わる場合の番組連動の処理動作）
ここで，上記変換装置３９が放送局４に備わる場合における，番組連動の処理動作について，図１２，図１３，および図１４を参照しながら，説明する。図１３は，本実施の形態にかかる変換装置が放送局に備わる場合のセンターサーバの概略的な構成を示すブロック図であり，図１４は，本実施の形態にかかる変換装置が放送局に備わる場合の放送局の概略的な構成を示すブロック図である。
【０２１８】
図１３および図１４に示すように，変換装置３９は，センターサーバ２に設置されず，放送局４に設置されている。その他の装置については，ほぼ同様の構成であることから，詳細な説明は省略する。
【０２１９】
図１２に示すように，データ放送コンテンツデータが番組連動する場合，図１４に示すＤＳ４４は，ＥＤＳＰ４２から送信される確定運行データに基づき，プレイリストデータを生成する（Ｓ１８０）。
【０２２０】
ＡＰＣ４５は，上記プレイリストデータを受信すると，番組サーバ４６をはじめ，ＣＭサーバ４７などを制御するためにＡＰＣデータ信号ＡＰを生成する（Ｓ１８２）。
【０２２１】
次に，番組サーバ４６又はＣＭサーバ４７は，生成されたＡＰＣデータ信号ＡＰに基づいて，画音データ信号ＧＴをスイッチャ装置４８に送信する。さらに，スイッチャ装置４８により，上記画音データ信号ＧＴは，切替制御されながら送信される（Ｓ１８４）。なお，スイッチャ装置４８は，ＡＰＣデータ信号ＡＰに基づいて切替制御する。
【０２２２】
さらに，上記送信処理（Ｓ１８４）により，ＨＤエンコーディング装置５０，またはＳＤエンコーディング装置５１は，画音データ信号ＧＴを受信すると，上記画音データ信号ＧＴをＴＳパケット形式によりパケット化して，画音データ信号ＴＳを送出する（Ｓ１８６）。
【０２２３】
同様に，ＡＰＣデータ信号ＡＰが生成（Ｓ１８２）されると，図１４に示すように，変換装置３９は，ＡＰＣデータ信号ＡＰを受信すると，ＡＰＣデータ信号ＡＰから，イベントメッセージデータ信号ＭＳに変換する（Ｓ１８８）。
【０２２４】
イベントメッセージデータ信号ＭＳをＡＴＭ網であるネットワーク１４を介して送信するため，例えば，イベントメッセージデータ信号ＭＳをセル単位に区切るなどの処理を行い，イベントメッセージデータ信号ＭＳＡＴＭに変換して，センターサーバ２のＡＴＭ通信装置５８に送信する。
【０２２５】
次に，センターサーバ２のＡＴＭ通信装置５８が上記イベントメッセージデータ信号ＭＳＡＴＭを受信後，イベントメッセージデータ信号ＭＳに復元するために，イベントメッセージデータ信号ＭＳを変換して，送出装置３１に送信する。
【０２２６】
編成装置３０は，管理保有している編成情報データに設定された編成情報に基づいて，各放送局４（各利用者端末装置４３）を担当する各送出装置３１（３１ａ，３１ｂ，３１ｃ，・・・，３１ｎ）に，データ放送コンテンツデータを抽出するため，編成情報データを送信する。
【０２２７】
当該送出装置３１は，上記編成情報データに設定されたデータ放送コンテンツデータを，素材共有装置３２から抽出して，上記受信したイベントメッセージデータ信号ＭＳと，カルーセル形式データであるデータ放送コンテンツデータとを，ＴＳパケット形式にパケット化して，データ放送コンテンツデータＴＳをＡＴＭ変換装置３５に送出して，さらにイベントメッセージデータ信号ＴＳをＡＴＭ変換装置３５に送出する（Ｓ１９０）。
【０２２８】
ＡＴＭ変換装置３５は，イベントメッセージデータ信号ＴＳと，またはデータ放送コンテンツデータＴＳとを，イベントメッセージデータ信号ＡＴＭと，またはデータ放送コンテンツデータＡＴＭとに変換して，ネットワーク１４を介して，当該放送局４のＴＳ変換装置５４に伝送する。
【０２２９】
ＴＳ変換装置５４は，上記イベントメッセージデータ信号ＡＴＭと，データ放送コンテンツデータＡＴＭを，ＴＳパケット形式に変換して，イベントメッセージデータ信号ＴＳ及びデータ放送コンテンツデータＴＳを多重化装置５５に送信する。
【０２３０】
多重化装置５５は，送出処理（Ｓ１８６）及び送出処理（Ｓ１９０）により，上記画音データ信号ＴＳ，メッセージ信号ＴＳ，およびデータ放送コンテンツデータＴＳとを受信すると，多重化処理（Ｓ１９２）をして，画音データ信号ＴＳ，イベントメッセージデータ信号ＴＳ，およびデータ放送コンテンツデータＴＳとを含む番組データＭＵを送出する。
【０２３１】
したがって，変換装置３９が放送局４に備わる場合であっても，イベントメッセージデータ信号ＴＳをセンターサーバ２に伝送することにより，画音データＴＳと，データ放送コンテンツデータＴＳとを番組連動することが可能となる。
【０２３２】
また，データ放送コンテンツデータ部分を分離して，センターサーバ２側で管理保有し，各放送局では画音データに関するアナログ放送部分について，既存の送出装置をそのまま利用することにより，データ放送設備にかかる設備投資を低く抑えて，データ放送を行うことが可能となる。
【０２３３】
（４．４　受信端末装置６における受信の処理動作）
次に，図５，図１５，図１６，図１７，および図１８を参照しながら，受信端末装置６における受信の処理動作について説明する。図１５は，本実施の形態にかかる受信端末装置の受信処理の概略を示すフローチャートであり，図１６は，本実施の形態にかかるＵＲＩ（Ｕｎｉｆｏｒｍｅｄ　Ｒｅｓｏｕｒｃｅ　Ｉｄｅｎｔｉｆｉｅｒ）の概略的な構成を示す説明図であり，図１７は，本実施の形態にかかるＳＩ／ＰＳＩの概略的な構成を示す説明図であり，図１８は，本実施の形態にかかるＰＳＩの概略的な構成を示す説明図である。
【０２３４】
受信端末装置６における受信の処理動作について説明する前に，まず図１６を参照しながら，ＵＲＩについて説明する。図１６に示すように，ＢＳデジタル放送において，ＵＲＩは，Ｎｅｔｗｏｒｋ　ＩＤが，“０ｘ０００４”に設定されており，トランスポンダ（ｔｒａｎｓｐｏｎｄｅｒ）には，１ｃｈ，３ｃｈ，１３ｃｈ，および１５ｃｈのように，チャンネルが構成されている。
【０２３５】
さらに，各チャンネルには，ＴＳ＿ＩＤ（トランスポートストリーム＿ＩＤ）及びサービスＩＤが，それぞれ設定されており，またサービスＩＤには，ＥＳ（エレメンタリーストリーム）種別ごとにコンポーネント・タグ（Ｃｏｍｐｏｎｅｎｔ　ｔａｇ）が設定されている。
【０２３６】
次に，本実施の形態にかかるＳＩ／ＰＳＩについて，図１７を参照しながら，説明する。図１７に示すように，番組配列情報データであるＳＩ／ＰＳＩは，それぞれデータ構造がテーブル化されている。
【０２３７】
ＳＩ（Ｓｅｒｖｉｃｅ　Ｉｎｆｏｒｍａｔｉｏｎ）には，例えば，ＥＩＴ（Ｅｖｅｎｔ　Ｉｎｆｏｒｍａｔｉｏｎ　Ｔａｂｌｅ）などから構成されており，ＥＩＴは，イベント情報テーブルとして，番組の名称，放送日時，内容の説明など，番組に関する情報の指示が設定されている。なお，ＥＰＧデータは，ＥＩＴに基づいて作成される。
【０２３８】
また，ＰＳＩ（Ｐｒｏｇｒａｍ　Ｓｐｅｃｉｆｉｃ　Ｉｎｆｏｒｍａｔｉｏｎ）には，例えば，ＰＡＴ（Ｐｒｏｇｒａｍ　Ａｓｓｏｃｉａｔｉｏｎ　Ｔａｂｌｅ），ＰＭＴ（Ｐｒｏｇｒａｍ　Ｍａｐ　Ｔａｂｌｅ），ＮＩＴ（Ｎｅｔｗｏｒｋ　Ｉｎｆｏｒｍａｔｉｏｎ　Ｔａｂｌｅ），およびＢＩＴ（Ｂｒｏａｄｃａｓｔｅｒ　Ｉｎｆｏｒｍａｔｉｏｎ　Ｔａｂｌｅ）などから構成される。
【０２３９】
ＰＡＴは，放送番組に関連するＰＭＴを伝送するＴＳパケットのパケット識別子（ＰＩＤ）が指定されたテーブルであり，ＰＭＴは，放送番組を構成する各符号化信号を伝送するＴＳパケットのＰＩＤおよび有料放送の関連情報のうち共通情報を伝送するＴＳパケットのＰＩＤが指定されたテーブルである。例えば，画音データのうち，映像のＰＩＤ，音声のＰＩＤなどが指定されている。
【０２４０】
また，ＮＩＴは，伝送路の周波数または変調方式と番組情報とを関連づけるテーブルであり，ＢＩＴは，全局ＳＩ及び各局ＳＩの伝送パラメータなど，ブロードキャスタ（放送元）の構成情報を記載するテーブルである。
【０２４１】
さらに，図１８に示すように，ＰＳＩのＮＩＴの変調周波数から，ＰＡＴの該当するチャンネルを，例えば，１８１ｃｈなどのように，導き出されて，さらに導き出されたチャンネルの設定されたＰＭＴから，例えば，実データ（モジュール）の数，モジュールＩＤ，バージョン，圧縮の有無などが設定されたＤＩＩ（Ｄｏｗｎｌｏａｄ　Ｉｎｆｏ　Ｉｎｄｉｃａｔｉｏｎ）が導き出されて，さらにＤＩＩから導き出される実データのＤＤＢ（Ｄｏｗｎｌｏａｄ　Ｄａｔａ　Ｂｌｏｃｋ）に基づいて，データ放送の番組が放送される。
【０２４２】
ここで，図１５を参照しながら，受信端末装置６における受信処理について説明する。図１５に示すように，放送局４から送信装置５７を介して番組データＭＵである電波が放出された状態で，例えば，受信端末装置６のリモコン９２により，チャンネルの選局（Ｓ１９２）が行われると，選局されたチャンネルが，受信しているＴＳ上に存在しているかを，ＰＡＴに基づいて検索する（Ｓ１９４）。
【０２４３】
検索処理（Ｓ１９４）の結果，該当するチャンネルが存在した場合は，そのまま後続の処理（Ｓ２０２）に続き，該当するチャンネルが存在しない場合は，当該ＰＡＴからＮＩＴを導き出して，当該チャンネルのＮＩＴに設定された周波数を取得する（Ｓ１９８）。
【０２４４】
受信端末装置６は，周波数を取得した周波数に切替えて，選択したチャンネルのＰＡＴに設定されたＰＭＴのＰＩＤを取得する（Ｓ２０２）。なお，検索処理（Ｓ１９６）にて，該当するチャンネルが存在した場合は，上記チャンネルのＰＡＴに設定されたＰＭＴのＰＩＤを取得する。
【０２４５】
次に，ＰＭＴに設定された画音データＴＳの映像データ，音声データ，およびデータ放送のＰＩＤを取得する（Ｓ２０４）と，ＤＩＩを取得する（Ｓ２０６）ことが可能となり，ＤＩＩに設定されたモジュールＩＤなどから，マルチパートなどにより１つのファイルにまとめられたＤＤＢを取得する（Ｓ２０８）。取得されたＤＤＢを受信端末装置６のディスプレイ装置９０は，図８，図９，図１０に示すような，データ放送コンテンツデータ表示画面を表示する（Ｓ２１０）。
【０２４６】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０２４７】
上記実施形態においては，ＢＳデジタル放送の場合を例にあげて説明したが，デジタル放送であれば，本発明はかかる例に限定されない。例えば，ＣＳデジタル放送又は地上波デジタル放送などでも実施することができる。
【０２４８】
また，上記実施形態においては，素材共有装置３２と，更新素材加工装置３６とを別の装置である場合を例にあげて説明したが，本発明はかかる例に限定されず，例えば，素材共有装置３２と更新素材加工装置３６とを一体化させた装置であっても実施することができる。
【０２４９】
また，上記実施形態においては，利用者端末装置４３は，放送局４内に設けられる場合を例にあげて説明したが，本発明はかかる例に限定されず，例えば，放送局外に利用者端末装置４３を設け，専用回線網，公衆回線網などのネットワークを介して放送局４と利用者端末装置４３とを接続させた場合であっても実施することができる。
【０２５０】
【発明の効果】
以上説明したように，本発明によれば，各放送局のデータ放送設備を，データ放送提供システムの共用化することで，一元的に集中管理することが可能となり，さらに設備の保守管理，メンテナンス作業，放送確認，設備監視等の放送運行業務を効率的に処理することが可能となり，運用コストの削減することができる。
【０２５１】
また，データ放送を放送する運用設備を構築して，放送局間で共用することにより，放送局単独でデータ放送設備を有するよりも設備投資を低く抑えることが可能となる。
【図面の簡単な説明】
【図１】本発明の実施の一形態にかかるデータ放送提供システムの概略的な構成を示すブロック図である。
【図２】本発明の実施の一形態にかかるデータ放送設備を有する放送局の概略的な構成を示すブロック図である。
【図３】本発明の実施の一形態にかかるセンターサーバの概略的な構成を示すブロック図である。
【図４】本発明の実施の一形態にかかる放送局の概略的な構成を示すブロック図である。
【図５】本発明の実施の一形態にかかる受信端末装置の概略的な構成を示すブロック図である。
【図６】本発明の実施の一形態にかかる受信端末装置のディスプレイ装置に表示されるトップページ画面の表示例を示す説明図である。
【図７】本発明の実施の一形態にかかる受信端末装置のディスプレイ装置に表示される認証画面の表示例を示す説明図である。
【図８】本発明の実施の一形態にかかる番組連動型のデータ放送コンテンツデータ表示画面の表示例を示す説明図である。
【図９】本発明の実施の一形態にかかる独立型のデータ放送コンテンツデータ表示画面の表示例を示す説明図である。
【図１０】本発明の実施の一形態にかかるＥＰＧデータ表示画面の表示例を示す説明図である。
【図１１】本発明の実施の一形態にかかるセンターサーバにおける処理の概略について示すフローチャートである。
【図１２】本発明の実施の一形態にかかるデータ放送コンテンツデータが番組連動する場合の処理の概略について示すフローチャートである。
【図１３】本発明の実施の一形態にかかる変換装置が放送局に備わる場合のセンターサーバの概略的な構成を示すブロック図である。
【図１４】本発明の実施の一形態にかかる変換装置が放送局に備わる場合の放送局の概略的な構成を示すブロック図である。
【図１５】本発明の実施の一形態にかかる受信端末装置の受信処理の概略を示すフローチャートである。
【図１６】本発明の実施の一形態にかかるＵＲＩの概略的な構成を示す説明図である。
【図１７】図１７は，本発明の実施の一形態にかかるＳＩ／ＰＳＩの番組配列情報データの概略的な構成を示す説明図である。
【図１８】本発明の実施の一形態にかかるＰＳＩの概略的な構成を示す説明図である。
【符号の説明】
２　：センターサーバ
４　：放送局
６　：受信端末装置
８　：コンテンツ提供サーバ
１０：視聴端末装置
１２：ネットワーク
１４：ネットワーク
１６：ネットワーク
【図１】
2004120414.tif 000003
【図２】
2004120414.tif 000004
【図３】
2004120414.tif 000005
【図４】
2004120414.tif 000006
【図５】
2004120414.tif 000007
【図６】
2004120414.tif 000008
【図７】
2004120414.tif 000009
【図８】
2004120414.tif 000010
【図９】
2004120414.tif 000011
【図１０】
2004120414.tif 000012
【図１１】
2004120414.tif 000013
【図１２】
2004120414.tif 000014
【図１３】
2004120414.tif 000015
【図１４】
2004120414.tif 000016
【図１５】
2004120414.tif 000017
【図１６】
2004120414.tif 000018
【図１７】
2004120414.tif 000019
【図１８】
2004120414.tif 000020